(57)【特許請求の範囲】
【請求項１】
ワイヤレス通信の方法において、
マルチキャリアユーザ機器（ＵＥ）に対して構成されている複数のコンポーネントキャリア（ＣＣ）の第１のコンフィギュレーション上での、ダウンリンクのデータ送信を肯定応答するためのＡＣＫ／ＮＡＣＫの第１のビット数を決定することと、
前記ＡＣＫ／ＮＡＣＫの第１のビット数に基づいて、アップリンク制御チャネルリソースへの、ＡＣＫ／ＮＡＣＫビットの第１のマッピングを選択し、前記第１のマッピングは、単一のコンポーネントキャリア上での、ダウンリンクのデータ送信に対するフォールバックコンフィギュレーションを含み、前記フォールバックコンフィギュレーションは、前記複数のコンポーネントキャリア（ＣＣｓ）の前記第１のコンフィギュレーションを基地局が再コンフィギュレーションすることに少なくとも応じて使用され、前記フォールバックコンフィギュレーションは、アップリンク制御チャネルリソースへの、ＡＣＫ／ＮＡＣＫビットの第２のマッピングにおいて、ダウンリンクのデータ送信のための単一のコンポーネントキャリアコンフィギュレーションにマッチする、ことと、
前記第１のマッピングに基づいて、前記ＣＣの第１のコンフィギュレーション上での、前記ダウンリンクのデータ送信を肯定応答するためのアップリンク制御チャネルリソースを決定することと、
前記第１のマッピングに基づくアップリンク制御チャネルリソース上で、前記ダウンリンクのデータ送信に対するＡＣＫ／ＮＡＣＫ情報を送ることと、
コンポーネントキャリアの前記第１のコンフィギュレーションを変更するための上位レイヤコマンドを受信することと、
前記上位レイヤコマンドを受信することに応じて、前記第１のマッピングの前記フォールバックコンフィギュレーションに基づいて、ダウンリンクのデータ送信を肯定応答するためのアップリンク制御チャネルリソースを決定することと、
を含む方法。
【請求項２】
前記上位レイヤコマンドは、コンポーネントキャリアの前記第１のコンフィギュレーションをコンポーネントキャリアの第２のコンフィギュレーションに変更するし、
前記上位レイヤコマンドの受信の後の期間の間、単一のコンポーネントキャリア上でのみの、ダウンリンクのデータ送信を受信することとをさらに含む請求項１記載の方法。
【請求項３】
前記第１のマッピングの前記フォールバックコンフィギュレーションに基づくアップリンク制御チャネルリソース上で、前記単一のコンポーネントキャリア上での、前記ダウンリンクのデータ送信に対するＡＣＫ／ＮＡＣＫ情報を送ることとをさらに含む請求項２記載の方法。
【請求項４】
前記コンポーネントキャリア（ＣＣ）の第２のコンフィギュレーション上での、ダウンリンクのデータ送信を肯定応答するためのＡＣＫ／ＮＡＣＫの第２のビット数を決定することと、
フォールバックコンフィギュレーションおよび前記ＡＣＫ／ＮＡＣＫの第２のビット数に基づくアップリンク制御チャネルリソース上で、前記単一のコンポーネントキャリア上での、前記ダウンリンクのデータ送信に対するＡＣＫ／ＮＡＣＫ情報を送ることとをさらに含む請求項２記載の方法。
【請求項５】
前記上位レイヤコマンドは、ＣＣの前記第１のコンフィギュレーションにおける少なくとも１つのキャリアのアクティブ化ステータスを変更し、
前記上位レイヤコマンドの受信の後の期間の間、単一のコンポーネントキャリア上でのみの、ダウンリンクのデータ送信を受信することとをさらに含む請求項１記載の方法。
【請求項６】
前記第１のマッピングの前記フォールバックコンフィギュレーションに基づくアップリンク制御チャネルリソース上で、前記単一のコンポーネントキャリア上での、前記ダウンリンクのデータ送信に対するＡＣＫ／ＮＡＣＫ情報を送ることとをさらに含む請求項５記載の方法。
【請求項７】
複数のアクティブ化されたコンポーネントキャリア上での、ダウンリンクのデータ送信を肯定応答するためのＡＣＫ／ＮＡＣＫの第２のビット数を決定することと、
フォールバックコンフィギュレーションおよび前記ＡＣＫ／ＮＡＣＫの第２のビット数に基づくアップリンク制御チャネルリソース上で、前記単一のコンポーネントキャリア上での、前記ダウンリンクのデータ送信に対するＡＣＫ／ＮＡＣＫ情報を送ることと、
前記ＡＣＫ／ＮＡＣＫの第２のビット数に基づいて、前記複数のアクティブ化されたＣＣ上での、前記ダウンリンクのデータ送信を肯定応答するためのアップリンク制御チャネルリソースを決定することと、
前記ＡＣＫ／ＮＡＣＫの第２のビット数に基づく前記アップリンク制御チャネルリソース上で、前記複数のアクティブ化されたＣＣ上での、前記ダウンリンクのデータ送信に対するＡＣＫ／ＮＡＣＫ情報を送ることとをさらに含む請求項５記載の方法。
【請求項８】
前記上位レイヤコマンドは、ＣＣの前記第１のコンフィギュレーションにおける少なくとも１つのキャリアの送信モードを変更し、
前記上位レイヤコマンドの受信の後の期間の間、単一のコンポーネントキャリア上でのみの、ダウンリンクのデータ送信を受信することとをさらに含む請求項１記載の方法。
【請求項９】
前記第１のマッピングの前記フォールバックコンフィギュレーションに基づくアップリンク制御チャネルリソース上で、前記単一のコンポーネントキャリア上での、前記ダウンリンクのデータ送信に対するＡＣＫ／ＮＡＣＫ情報を送ることとをさらに含む請求項８記載の方法。
【請求項１０】
第２の送信モードにおいて前記少なくとも１つのキャリアを含む複数の構成されているＣＣ上での、ダウンリンクのデータ送信を肯定応答するためのＡＣＫ／ＮＡＣＫの第２のビット数を決定することと、
フォールバックコンフィギュレーションおよび前記ＡＣＫ／ＮＡＣＫの第２のビット数に基づくアップリンク制御チャネルリソース上で、前記単一のコンポーネントキャリア上での、前記ダウンリンクのデータ送信に対するＡＣＫ／ＮＡＣＫ情報を送ることと、
前記ＡＣＫ／ＮＡＣＫの第２のビット数に基づいて、前記複数の構成されているＣＣ上での、前記ダウンリンクのデータ送信を肯定応答するためのアップリンク制御チャネルリソースを決定することと、
前記ＡＣＫ／ＮＡＣＫの第２のビット数に基づく前記アップリンク制御チャネルリソース上で、前記ダウンリンクのデータ送信に対するＡＣＫ／ＮＡＣＫ情報を送ることとをさらに含む請求項８記載の方法。
【請求項１１】
前記ＡＣＫ／ＮＡＣＫの第１のビット数は、前記複数のコンポーネントキャリア上で構成されているコードワードの数と、サブフレームにおける前記複数のコンポーネントキャリアの検出されたＤＴＸステータスとに対応する請求項１記載の方法。
【請求項１２】
前記ＡＣＫ／ＮＡＣＫ情報は、前記構成されているコードワードの数と、前記サブフレームにおける前記検出されたＤＴＸステータスとに対応している多数のアップリンク制御チャネルリソースにマッピングされた２ビットの情報によって表現される請求項１１記載の方法。
【請求項１３】
前記複数のコンポーネントキャリアはＮ個のコンポーネントキャリアからなり、前記ＡＣＫ／ＮＡＣＫのビット数は、Ｎ以上、かつ、２Ｎ以下である請求項１記載の方法。
【請求項１４】
前記ＡＣＫ／ＮＡＣＫの第２のビット数に基づいて、前記コンポーネントキャリアの第２のコンフィギュレーション上での、前記ダウンリンクのデータ送信を肯定応答するためのアップリンク制御チャネルリソースを決定することと、
前記ＡＣＫ／ＮＡＣＫの第２のビット数に基づく前記アップリンク制御チャネルリソース上で、前記ダウンリンクのデータ送信に対するＡＣＫ／ＮＡＣＫ情報を送ることとをさらに含む請求項４記載の方法。
【請求項１５】
前記ＵＥは、チャネル選択を伴うアップリンク制御チャネルフォーマット用に構成され、
前記方法は、前記アップリンク制御チャネルフォーマットに基づいて、前記アップリンク制御チャネルリソースの第１のマッピングを選択することをさらに含む請求項１記載の方法。
【請求項１６】
基地局における方法において、
アップリンク制御チャネルリソース上で、ユーザ機器（ＵＥ）からの、ダウンリンクのデータ送信を肯定応答するＡＣＫ／ＮＡＣＫ情報を、前記基地局において受信することと、
前記ＵＥの第１のコンフィギュレーションに対応するアップリンク制御チャネルリソースの第１のマッピングに基づいて、前記ＡＣＫ／ＮＡＣＫ情報からＡＣＫ／ＮＡＣＫビットを決定し、前記第１のマッピングは、単一のコンポーネントキャリア上での、ダウンリンクのデータ送信に対するフォールバックコンフィギュレーションを含み、前記フォールバックコンフィギュレーションは、前記ＵＥの前記第１のコンフィギュレーションを前記基地局が再コンフィギュレーションすることに少なくとも応じて使用され、前記フォールバックコンフィギュレーションは、ＡＣＫ／ＮＡＣＫビットへの、アップリンク制御チャネルリソースの第２のマッピングにおいて、前記単一のコンポーネントキャリア上での、ダウンリンクのデータ送信のためのコンフィギュレーションにマッチし、
ダウンリンクのコンポーネントキャリアの第２のコンフィギュレーションに対する上位レイヤコマンドを送信することと、
前記上位レイヤコマンドの送信の後の予め定められた期間の間、単一のコンポーネントキャリア上でのみの、前記ＵＥへの、ダウンリンクのデータ送信をスケジューリングすることと、
前記予め定められた期間の間、前記フォールバックコンフィギュレーションに対応するアップリンク制御チャネルリソース上で、ＡＣＫ／ＮＡＣＫビットを受信することと、
を含む方法。
【請求項１７】
前記上位レイヤコマンドは、再コンフィギュレーションコマンドと、アクティブ化コマンドと、非アクティブ化コマンドと、送信モードを変更するためのコマンドと、のうちの１つである請求項１６記載の方法。
【請求項１８】
前記コンポーネントキャリアの第２のコンフィギュレーション上でダウンリンクデータを送信することと、
前記予め定められた期間の後、前記第２のマッピングに対応するアップリンク制御チャネルリソース上でＡＣＫ／ＮＡＣＫビットを受信することとをさらに含む請求項１６記載の方法。
【請求項１９】
装置において、
プロセッサと、
メモリとを具備し、
前記メモリは、プロセッサ実行可能な命令を具備し、
前記プロセッサによって実行されるときに、
マルチキャリアユーザ機器（ＵＥ）に対して構成されている複数のコンポーネントキャリア（ＣＣ）の第１のコンフィギュレーション上での、ダウンリンクのデータ送信を肯定応答するためのＡＣＫ／ＮＡＣＫの第１のビット数を決定し、
前記ＡＣＫ／ＮＡＣＫの第１のビット数に基づいて、アップリンク制御チャネルリソースへの、ＡＣＫ／ＮＡＣＫビットの第１のマッピングを選択し、前記第１のマッピングは、単一のコンポーネントキャリア上での、ダウンリンクのデータ送信に対するフォールバックコンフィギュレーションを含み、前記フォールバックコンフィギュレーションは、前記複数のコンポーネントキャリア（ＣＣｓ）の前記第１のコンフィギュレーションを基地局が再コンフィギュレーションすることに少なくとも応じて使用され、前記フォールバックコンフィギュレーションは、アップリンク制御チャネルリソースへの、ＡＣＫ／ＮＡＣＫビットの第２のマッピングにおいて、ダウンリンクのデータ送信のための単一のコンポーネントキャリアコンフィギュレーションにマッチし、
前記第１のマッピングに基づいて、前記ＣＣの第１のコンフィギュレーション上での、前記ダウンリンクのデータ送信を肯定応答するためのアップリンク制御チャネルリソースを決定し、
前記第１のマッピングに基づくアップリンク制御チャネルリソース上で、前記ダウンリンクのデータ送信に対するＡＣＫ／ＮＡＣＫ情報を送り、
コンポーネントキャリアの前記第１のコンフィギュレーションを変更するための上位レイヤコマンドを受信し、
前記上位レイヤコマンドを受信することに応じて、前記第１のマッピングの前記フォールバックコンフィギュレーションに基づいて、ダウンリンクのデータ送信を肯定応答するためのアップリンク制御チャネルリソースを決定するように、前記マルチキャリアＵＥとして前記装置を構成する装置。
【請求項２０】
前記上位レイヤコマンドは、コンポーネントキャリアの前記第１のコンフィギュレーションをコンポーネントキャリアの第２のコンフィギュレーションに変更し、
ここにおいて、前記装置は、前記上位レイヤコマンドの受信の後の予め定められた期間の間、単一のコンポーネントキャリア上でのみの、ダウンリンクのデータ送信を受信するようにさらに構成されている請求項１９記載の装置。
【請求項２１】
前記装置は、
前記第１のマッピングの前記フォールバックコンフィギュレーションに基づくアップリンク制御チャネルリソース上で、前記単一のコンポーネントキャリア上での、前記ダウンリンクのデータ送信に対するＡＣＫ／ＮＡＣＫ情報を送るようにさらに構成されている請求項２０記載の装置。
【請求項２２】
前記装置は、
前記コンポーネントキャリア（ＣＣ）の第２のコンフィギュレーション上での、ダウンリンクのデータ送信を肯定応答するためのＡＣＫ／ＮＡＣＫの第２のビット数を決定し、
フォールバックコンフィギュレーションおよび前記ＡＣＫ／ＮＡＣＫの第２のビット数に基づくアップリンク制御チャネルリソース上で、前記単一のコンポーネントキャリア上での、前記ダウンリンクのデータ送信に対するＡＣＫ／ＮＡＣＫ情報を送り、
前記ＡＣＫ／ＮＡＣＫの第２のビット数に基づいて、前記コンポーネントキャリアの第２のコンフィギュレーション上での、前記ダウンリンクのデータ送信を肯定応答するためのアップリンク制御チャネルリソースを決定し、
前記ＡＣＫ／ＮＡＣＫの第２のビット数に基づく前記アップリンク制御チャネルリソース上で、前記ダウンリンクのデータ送信に対するＡＣＫ／ＮＡＣＫ情報を送るようにさらに構成されている請求項２０記載の装置。
【請求項２３】
前記上位レイヤコマンドは、ＣＣの前記第１のコンフィギュレーションにおける少なくとも１つのキャリアのアクティブ化ステータスを変更し、
ここにおいて、前記装置は、前記上位レイヤコマンドの受信の後の期間の間、単一のコンポーネントキャリア上でのみの、ダウンリンクのデータ送信を受信するようにさらに構成されている請求項１９記載の装置。
【請求項２４】
前記装置は、
前記第１のマッピングの前記フォールバックコンフィギュレーションに基づくアップリンク制御チャネルリソース上で、前記単一のコンポーネントキャリア上での、前記ダウンリンクのデータ送信に対するＡＣＫ／ＮＡＣＫ情報を送るようにさらに構成されている請求項２３記載の装置。
【請求項２５】
前記装置は、
複数のアクティブ化されたコンポーネントキャリア上での、ダウンリンクのデータ送信を肯定応答するためのＡＣＫ／ＮＡＣＫの第２のビット数を決定し、
フォールバックコンフィギュレーションおよび前記ＡＣＫ／ＮＡＣＫの第２のビット数に基づくアップリンク制御チャネルリソース上で、前記単一のコンポーネントキャリア上での、前記ダウンリンクのデータ送信に対するＡＣＫ／ＮＡＣＫ情報を送り、
前記ＡＣＫ／ＮＡＣＫの第２のビット数に基づいて、前記複数のアクティブ化されたＣＣ上での、前記ダウンリンクのデータ送信を肯定応答するためのアップリンク制御チャネルリソースを決定し、
前記ＡＣＫ／ＮＡＣＫの第２のビット数に基づく前記アップリンク制御チャネルリソース上で、前記ダウンリンクのデータ送信に対するＡＣＫ／ＮＡＣＫ情報を送るようにさらに構成されている請求項２３記載の装置。
【請求項２６】
前記上位レイヤコマンドは、ＣＣの前記第１のコンフィギュレーションにおける少なくとも１つのキャリアの送信モードを変更し、
ここにおいて、前記装置は、前記上位レイヤコマンドの受信の後の予め定められた期間の間、単一のコンポーネントキャリア上でのみの、ダウンリンクのデータ送信を受信するようにさらに構成されている請求項１９記載の装置。
【請求項２７】
前記装置は、
前記第１のマッピングの前記フォールバックコンフィギュレーションに基づくアップリンク制御チャネルリソース上で、前記単一のコンポーネントキャリア上での、前記ダウンリンクのデータ送信に対するＡＣＫ／ＮＡＣＫ情報を送るようにさらに構成されている請求項２６記載の装置。
【請求項２８】
前記装置は、
第２の送信モードにおいて前記少なくとも１つのキャリアを含む複数の構成されているＣＣ上での、ダウンリンクのデータ送信を肯定応答するためのＡＣＫ／ＮＡＣＫの第２のビット数を決定し、
フォールバックコンフィギュレーションおよび前記ＡＣＫ／ＮＡＣＫの第２のビット数に基づくアップリンク制御チャネルリソース上で、前記単一のコンポーネントキャリア上での、前記ダウンリンクのデータ送信に対するＡＣＫ／ＮＡＣＫ情報を送り、
前記ＡＣＫ／ＮＡＣＫの第２のビット数に基づいて、前記複数の構成されているＣＣ上での前記ダウンリンクのデータ送信を肯定応答するためのアップリンク制御チャネルリソースを決定し、
前記ＡＣＫ／ＮＡＣＫの第２のビット数に基づく前記アップリンク制御チャネルリソース上で、前記ダウンリンクのデータ送信に対するＡＣＫ／ＮＡＣＫ情報を送るようにさらに構成されている請求項２６記載の装置。
【請求項２９】
装置において、
プロセッサと、
メモリとを具備し、
前記メモリは、プロセッサ実行可能な命令を具備し、
前記プロセッサによって実行されるときに、
アップリンク制御チャネルリソース上で、ユーザ機器（ＵＥ）からの、ダウンリンクのデータ送信を肯定応答するＡＣＫ／ＮＡＣＫ情報を、基地局において受信し、
前記ＵＥの第１のコンフィギュレーションに対応するアップリンク制御チャネルリソースの第１のマッピングに基づいて、前記ＡＣＫ／ＮＡＣＫ情報からＡＣＫ／ＮＡＣＫビットを決定し、前記第１のマッピングは、単一のコンポーネントキャリア上での、ダウンリンクのデータ送信に対するフォールバックコンフィギュレーションを含み、前記フォールバックコンフィギュレーションは、前記ＵＥの前記第１のコンフィギュレーションを基地局が再コンフィギュレーションすることに少なくとも応じて使用され、前記フォールバックコンフィギュレーションは、ＡＣＫ／ＮＡＣＫビットへの、アップリンク制御チャネルリソースの第２のマッピングにおいて、前記単一のコンポーネントキャリア上での、ダウンリンクのデータ送信のためのコンフィギュレーションにマッチし、
ダウンリンクのコンポーネントキャリアの第２のコンフィギュレーションに対する上位レイヤコマンドを送信し、
前記上位レイヤコマンドの送信の後の予め定められた期間の間、単一のコンポーネントキャリア上でのみの、前記ＵＥへの、ダウンリンクのデータ送信をスケジューリングし、
前記予め定められた期間の間、前記フォールバックコンフィギュレーションに対応するアップリンク制御チャネルリソース上で、ＡＣＫ／ＮＡＣＫビットを受信するように前記基地局として前記装置を構成する装置。
【請求項３０】
前記上位レイヤコマンドは、再コンフィギュレーションコマンドと、アクティブ化コマンドと、非アクティブ化コマンドと、送信モードを変更するためのコマンドと、のうちの１つである請求項２９記載の装置。
【請求項３１】
前記装置は、
前記コンポーネントキャリアの第２のコンフィギュレーション上でダウンリンクデータを送信し、
前記予め定められた期間の後、前記第２のマッピングに対応するアップリンク制御チャネルリソース上でＡＣＫ／ＮＡＣＫビットを受信するようにさらに構成されている請求項３０記載の装置。
【請求項３２】
マルチキャリアユーザ機器(ＵＥ)に対して構成されている複数のコンポーネントキャリア（ＣＣ）の第１のコンフィギュレーション上での、ダウンリンクのデータ送信を肯定応答するためのＡＣＫ／ＮＡＣＫの第１のビット数を決定するためのプログラムコードと、
前記ＡＣＫ／ＮＡＣＫの第１のビット数に基づいて、アップリンク制御チャネルリソースへの、ＡＣＫ／ＮＡＣＫビットの第１のマッピングを選択し、前記第１のマッピングは、単一のコンポーネントキャリア上での、ダウンリンクのデータ送信に対するフォールバックコンフィギュレーションを含み、前記フォールバックコンフィギュレーションは、前記複数のコンポーネントキャリア（ＣＣｓ）の前記第１のコンフィギュレーションを基地局が再コンフィギュレーションすることに少なくとも応じて使用され、前記フォールバックコンフィギュレーションは、アップリンク制御チャネルリソースへの、ＡＣＫ／ＮＡＣＫビットの第２のマッピングにおいて、ダウンリンクのデータ送信のための単一のコンポーネントキャリアコンフィギュレーションにマッチするためのプログラムコードと、
前記第１のマッピングに基づいて、前記ＣＣの第１のコンフィギュレーション上での、前記ダウンリンクのデータ送信を肯定応答するためのアップリンク制御チャネルリソースを決定するためのプログラムコードと、
前記第１のマッピングに基づくアップリンク制御チャネルリソース上で、前記ダウンリンクのデータ送信に対するＡＣＫ／ＮＡＣＫ情報を送るためのプログラムコードと、
コンポーネントキャリアの前記第１のコンフィギュレーションを変更するための上位レイヤコマンドを受信するためのプログラムコードと、
前記上位レイヤコマンドを受信することに応じて、前記第１のマッピングの前記フォールバックコンフィギュレーションに基づいて、ダウンリンクのデータ送信を肯定応答するためのアップリンク制御チャネルリソースを決定するためのプログラムコードと、
を具備するワイヤレスネットワークにおけるワイヤレス通信のためのコンピュータプログラム。
【請求項３３】
前記上位レイヤコマンドは、コンポーネントキャリアの前記第１のコンフィギュレーションをコンポーネントキャリアの第２のコンフィギュレーションに変更し、
ここにおいて、前記プログラムコードは、前記上位レイヤコマンドの受信の後の予め定められた期間の間、単一のコンポーネントキャリア上でのみの、ダウンリンクのデータ送信を受信するようにさらに具備する請求項３２記載のコンピュータプログラム。
【請求項３４】
前記プログラムコードは、前記第１のマッピングの前記フォールバックコンフィギュレーションに基づくアップリンク制御チャネルリソース上で、前記単一のコンポーネントキャリア上での、前記ダウンリンクのデータ送信に対するＡＣＫ／ＮＡＣＫ情報を送るためのプログラムコードをさらに具備する請求項３３記載のコンピュータプログラム。
【請求項３５】
前記プログラムコードは、
コンポーネントキャリア（ＣＣｓ）の前記第２のコンフィギュレーション上での、ダウンリンクのデータ送信を肯定応答するためのＡＣＫ／ＮＡＣＫの第２のビット数を決定するためのプログラムコードと、
フォールバックコンフィギュレーションおよび前記ＡＣＫ／ＮＡＣＫの第２のビット数に基づくアップリンク制御チャネルリソース上で、前記単一のコンポーネントキャリア上での、前記ダウンリンクのデータ送信に対するＡＣＫ／ＮＡＣＫ情報を送るためのプログラムコードと、
前記ＡＣＫ／ＮＡＣＫの第２のビット数に基づいて、前記コンポーネントキャリアの第２のコンフィギュレーション上での、前記ダウンリンクのデータ送信を肯定応答するためのアップリンク制御チャネルリソースを決定するためのプログラムコードと、
前記ＡＣＫ／ＮＡＣＫの第２のビット数に基づく前記アップリンク制御チャネルリソース上で、前記ダウンリンクのデータ送信に対するＡＣＫ／ＮＡＣＫ情報を送るためのプログラムコードとをさらに具備する請求項３３記載のコンピュータプログラム。
【請求項３６】
前記上位レイヤコマンドは、ＣＣｓの前記第１のコンフィギュレーションにおける少なくとも１つのキャリアのアクティブ化ステータスを変更し、
ここにおいて、前記プログラムコードは、前記上位レイヤコマンドの受信の後の予め定められた期間の間、単一のコンポーネントキャリア上でのみの、ダウンリンクのデータ送信を受信するためのプログラムコードをさらに具備する請求項３２記載のコンピュータプログラム。
【請求項３７】
前記プログラムコードは、
前記第１のマッピングの前記フォールバックコンフィギュレーションに基づくアップリンク制御チャネルリソース上で、前記単一のコンポーネントキャリア上での、前記ダウンリンクのデータ送信に対するＡＣＫ／ＮＡＣＫ情報を送るためのプログラムコードをさらに具備する請求項３６記載のコンピュータプログラム。
【請求項３８】
前記プログラムコードは、
複数のアクティブ化されたコンポーネントキャリア上での、ダウンリンクのデータ送信を肯定応答するためのＡＣＫ／ＮＡＣＫの第２のビット数を決定するためのプログラムコードと、
フォールバックコンフィギュレーションおよび前記ＡＣＫ／ＮＡＣＫの第２のビット数に基づくアップリンク制御チャネルリソース上で、前記単一のコンポーネントキャリア上での、前記ダウンリンクのデータ送信に対するＡＣＫ／ＮＡＣＫ情報を送るためのプログラムコードと、
前記第２のマッピングに基づいて、前記複数のアクティブ化されたＣＣ上での、前記ダウンリンクのデータ送信を肯定応答するためのアップリンク制御チャネルリソースを決定するためのプログラムコードと、
前記ＡＣＫ／ＮＡＣＫの第２のビット数に基づく前記アップリンク制御チャネルリソース上で、前記ダウンリンクのデータ送信に対するＡＣＫ／ＮＡＣＫ情報を送るためのプログラムコードとをさらに具備する請求項３６記載のコンピュータプログラム。
【請求項３９】
前記上位レイヤコマンドは、
ＣＣｓの前記第１のコンフィギュレーションにおける少なくとも１つのキャリアの送信モードを変更し、
ここにおいて、前記プログラムコードは、前記上位レイヤコマンドの受信の後の期間の間、単一のコンポーネントキャリア上でのみの、ダウンリンクのデータ送信を受信するためのプログラムコードをさらに具備する請求項３２記載のコンピュータプログラム。
【請求項４０】
前記プログラムコードは、
前記第１のマッピングの前記フォールバックコンフィギュレーションに基づくアップリンク制御チャネルリソース上で、前記単一のコンポーネントキャリア上での、前記ダウンリンクのデータ送信に対するＡＣＫ／ＮＡＣＫ情報を送るためのプログラムコードをさらに具備する請求項３９記載のコンピュータプログラム。
【請求項４１】
前記プログラムコードは、
第２の送信モードにおいて少なくとも１つのキャリアを含む複数の構成されているＣＣ上での、ダウンリンクのデータ送信を肯定応答するためのＡＣＫ／ＮＡＣＫの第２のビット数を決定するためのプログラムコードと、
フォールバックコンフィギュレーションおよび前記ＡＣＫ／ＮＡＣＫの第２のビット数に基づくアップリンク制御チャネルリソース上で、前記単一のコンポーネントキャリア上での前記ダウンリンクのデータ送信に対するＡＣＫ／ＮＡＣＫ情報を送るためのプログラムコードと、
前記ＡＣＫ／ＮＡＣＫの第２のビット数に基づいて、前記複数の構成されているＣＣ上での、前記ダウンリンクのデータ送信を肯定応答するためのアップリンク制御チャネルリソースを決定するためのプログラムコードと、
前記ＡＣＫ／ＮＡＣＫの第２のビット数に基づく前記アップリンク制御チャネルリソース上で、前記ダウンリンクのデータ送信に対するＡＣＫ／ＮＡＣＫ情報を送るためのプログラムコードとをさらに具備する請求項３９記載のコンピュータプログラム。
【請求項４２】
ワイヤレス通信のための装置において、
マルチキャリアユーザ機器（ＵＥ）に対して構成されている複数のコンポーネントキャリア（ＣＣ）の第１のコンフィギュレーション上での、ダウンリンクのデータ送信を肯定応答するためのＡＣＫ／ＮＡＣＫの第１のビット数を決定する手段と、
前記ＡＣＫ／ＮＡＣＫの第１のビット数に基づいて、アップリンク制御チャネルリソースへの、ＡＣＫ／ＮＡＣＫビットの第１のマッピングを選択し、前記第１のマッピングは、単一のコンポーネントキャリア上での、ダウンリンクのデータ送信に対するフォールバックコンフィギュレーションを含み、前記フォールバックコンフィギュレーションは、前記複数のコンポーネントキャリア（ＣＣｓ）の前記第１のコンフィギュレーションを基地局が再コンフィギュレーションすることに少なくとも応じて使用され、前記フォールバックコンフィギュレーションは、アップリンク制御チャネルリソースへの、ＡＣＫ／ＮＡＣＫビットの第２のマッピングにおいて、ダウンリンクのデータ送信のための単一のコンポーネントキャリアコンフィギュレーションにマッチする手段と、
前記第１のマッピングに基づいて、前記ＣＣの第１のコンフィギュレーション上での、前記ダウンリンクのデータ送信を肯定応答するためのアップリンク制御チャネルリソースを決定する手段と、
前記第１のマッピングに基づくアップリンク制御チャネルリソース上で、前記ダウンリンクのデータ送信に対するＡＣＫ／ＮＡＣＫ情報を送る手段と、
コンポーネントキャリアの前記第１のコンフィギュレーションを変更するための上位レイヤコマンドを受信する手段と、
前記上位レイヤコマンドを受信することに応じて、前記第１のマッピングの前記フォールバックコンフィギュレーションに基づいて、ダウンリンクのデータ送信を肯定応答するためのアップリンク制御チャネルリソースを決定する手段と、
を具備する装置。
【請求項４３】
前記上位レイヤコマンドは、コンポーネントキャリアの前記第１のコンフィギュレーションをコンポーネントキャリアの第２のコンフィギュレーションに変更し、
前記上位レイヤコマンドの受信の後の予め定められた期間の間、単一のコンポーネントキャリア上でのみの、ダウンリンクのデータ送信を受信する手段とをさらに具備する請求項４２記載の装置。
【請求項４４】
前記第１のマッピングの前記フォールバックコンフィギュレーションに基づくアップリンク制御チャネルリソース上で、前記単一のコンポーネントキャリア上での、前記ダウンリンクのデータ送信に対するＡＣＫ／ＮＡＣＫ情報を送る手段とをさらに具備する請求項４３記載の装置。
【請求項４５】
前記コンポーネントキャリア（ＣＣ）の第２のコンフィギュレーション上での、ダウンリンクのデータ送信を肯定応答するためのＡＣＫ／ＮＡＣＫの第２のビット数を決定する手段と、
フォールバックコンフィギュレーションおよび前記ＡＣＫ／ＮＡＣＫの第２のビット数に基づくアップリンク制御チャネルリソース上で、前記単一のコンポーネントキャリア上での、前記ダウンリンクのデータ送信に対するＡＣＫ／ＮＡＣＫ情報を送る手段と、
前記ＡＣＫ／ＮＡＣＫの第２のビット数に基づいて、前記コンポーネントキャリアの第２のコンフィギュレーション上での、前記ダウンリンクのデータ送信を肯定応答するためのアップリンク制御チャネルリソースを決定する手段と、
前記ＡＣＫ／ＮＡＣＫの第２のビット数に基づく前記アップリンク制御チャネルリソース上で、前記ダウンリンクのデータ送信に対するＡＣＫ／ＮＡＣＫ情報を送る手段とをさらに具備する請求項４３記載の装置。
【請求項４６】
前記上位レイヤコマンドは、ＣＣｓの前記第１のコンフィギュレーションにおける少なくとも１つのキャリアのアクティブ化ステータスを変更し、
前記上位レイヤコマンドの受信の後の予め定められた期間の間に、単一のコンポーネントキャリア上でのみの、ダウンリンクのデータ送信を受信する手段とさらに具備する請求項４２記載の装置。
【請求項４７】
前記第１のマッピングの前記フォールバックコンフィギュレーションに基づくアップリンク制御チャネルリソース上で、前記単一のコンポーネントキャリア上での、前記ダウンリンクのデータ送信に対するＡＣＫ／ＮＡＣＫ情報を送る手段とをさらに具備する請求項４６記載の装置。
【請求項４８】
複数のアクティブ化されたコンポーネントキャリア上での、ダウンリンクのデータ送信を肯定応答するためのＡＣＫ／ＮＡＣＫの第２のビット数を決定する手段と、
フォールバックコンフィギュレーションおよび前記ＡＣＫ／ＮＡＣＫの第２のビット数に基づくアップリンク制御チャネルリソース上で、前記単一のコンポーネントキャリア上での、前記ダウンリンクのデータ送信に対するＡＣＫ／ＮＡＣＫ情報を送る手段と、
前記ＡＣＫ／ＮＡＣＫの第２のビット数に基づいて、前記複数のアクティブ化されたＣＣ上での前記ダウンリンクのデータ送信を肯定応答するためのアップリンク制御チャネルリソースを決定する手段と、
前記ＡＣＫ／ＮＡＣＫの第２のビット数に基づく前記アップリンク制御チャネルリソース上で、前記ダウンリンクのデータ送信に対するＡＣＫ／ＮＡＣＫ情報を送る手段とをさらに具備する請求項４６記載の装置。
【請求項４９】
前記上位レイヤコマンドは、ＣＣｓの前記第１のコンフィギュレーションにおける少なくとも１つのキャリアの送信モードを変更し、
前記上位レイヤコマンドの受信の後の予め定められた期間の間、単一のコンポーネントキャリア上でのみの、ダウンリンクのデータ送信を受信する手段とをさらに具備する請求項４２記載の装置。
【請求項５０】
前記第１のマッピングの前記フォールバックコンフィギュレーションに基づくアップリンク制御チャネルリソース上で、前記単一のコンポーネントキャリア上での、前記ダウンリンクのデータ送信に対するＡＣＫ／ＮＡＣＫ情報を送る手段とをさらに具備する請求項４９記載の装置。
【請求項５１】
第２の送信モードにおいて前記少なくとも１つのキャリアを含む複数の構成されているＣＣ上での、ダウンリンクのデータ送信を肯定応答するためのＡＣＫ／ＮＡＣＫの第２のビット数を決定する手段と、
フォールバックコンフィギュレーションおよび前記ＡＣＫ／ＮＡＣＫの第２のビット数に基づくアップリンク制御チャネルリソース上で、前記単一のコンポーネントキャリア上での、前記ダウンリンクのデータ送信に対するＡＣＫ／ＮＡＣＫ情報を送る手段と、
前記ＡＣＫ／ＮＡＣＫの第２のビット数に基づいて、前記複数の構成されているＣＣ上での、前記ダウンリンクのデータ送信を肯定応答するためのアップリンク制御チャネルリソースを決定する手段と、
前記ＡＣＫ／ＮＡＣＫの第２のビット数に基づく前記アップリンク制御チャネルリソース上で、前記ダウンリンクのデータ送信に対するＡＣＫ／ＮＡＣＫ情報を送る手段とをさらに具備する請求項４９記載の装置。
【発明の詳細な説明】
【背景】
【０００１】
分野
本出願は、一般的に、ワイヤレス通信システムに関し、さらに詳細に述べると、キャリアアグリゲーションのために構成されているワイヤレス通信システムに関する。
【０００２】
背景
ワイヤレス通信システムは、音声、データ等のような、さまざまなタイプの通信コンテンツを提供するように、幅広く展開されている。これらのシステムは、システムリソース（例えば、帯域幅および送信電力）を共有することによって、複数のユーザとの通信をサポートできる多元接続システムであってもよい。
【０００３】
いくつかのワイヤレス通信システムでは、移動体端末および基地局は、基地局から移動体端末へのダウンリンク上で、および、移動端末から基地局へのアップリンク上で通信する。移動局は、アップリンク上で制御情報を基地局に送ることによってダウンリンクのデータ送信を肯定応答するように構成されていてもよい。
【概要】
【０００４】
マルチキャリアワイヤレス通信システムにおいて、ダウンリンクのデータ送信を肯定応答する技術を開示する。１つの態様では、マルチキャリア動作のために構成されているユーザ機器（ＵＥ）が、ＵＥに対して構成されている複数のコンポーネントキャリア（ＣＣ）の第１のコンフィギュレーション上での、ダウンリンクのデータ送信を肯定応答するためのＡＣＫ／ＮＡＣＫの第１のビット数を決定する。ＵＥは、ＡＣＫ／ＮＡＣＫの第１のビット数に基づいて、アップリンク制御チャネルリソースへの、ＡＣＫ／ＮＡＣＫビットの第１のマッピングを選択し、第１のマッピングは、単一のコンポーネントキャリア上での、ダウンリンクのデータ送信に対するフォールバックコンフィギュレーションを含む。フォールバックコンフィギュレーションは、アップリンク制御チャネルリソースへの、ＡＣＫ／ＮＡＣＫビットの第２のマッピングにおいて、ダウンリンクのデータ送信のための単一のコンポーネントキャリアコンフィギュレーションにマッチする。ＵＥは、第１のマッピングに基づいて、ＣＣの第１のコンフィギュレーション上での、ダウンリンクのデータ送信を肯定応答するためのアップリンク制御チャネルリソースを決定し、第１のマッピングに基づくアップリンク制御チャネルリソース上で、ダウンリンクのデータ送信に対するＡＣＫ／ＮＡＣＫ情報を送る。
【０００５】
１つの態様では、ＵＥは、コンポーネントキャリアの第１のコンフィギュレーションからコンポーネントキャリアの第２のコンフィギュレーションに変更するための上位レイヤコマンドを受信し、上位レイヤコマンドの受信の後の期間の間、単一のコンポーネントキャリア上での、ダウンリンクのデータ送信を受信する。ＵＥは、第１のマッピングのフォールバックコンフィギュレーションに基づいて、単一のコンポーネントキャリア上での、ダウンリンクのデータ送信を肯定応答するためのアップリンク制御チャネルリソースを決定してもよい。代替的に、ＵＥは、コンポーネントキャリアの第２のコンフィギュレーションに対応するアップリンク制御チャネルリソースの第３のマッピングを選択してもよい。第３のマッピングは、単一のキャリアのダウンリンク送信に対するフォールバックコンフィギュレーションも含んでいてもよく、ＵＥは、第１のマッピングのフォールバックコンフィギュレーションまたは第３のマッピングのフォールバックコンフィギュレーションに基づいて、ダウンリンクのデータ送信を肯定応答するためのアップリンク制御チャネルリソースを決定してもよい。ＵＥは、コンポーネントキャリア（ＣＣ）の第２のコンフィギュレーション上での、ダウンリンクのデータ送信を肯定応答するためのＡＣＫ／ＮＡＣＫの第２のビット数を決定してもよく、ＡＣＫ／ＮＡＣＫの第２のビット数に基づいて、アップリンク制御チャネルリソースへの、ＡＣＫ／ＮＡＣＫビットの第３のマッピングを選択してもよい。
【０００６】
ＵＥは、コンポーネントキャリアの第１のコンフィギュレーションにおける少なくとも１つのキャリアのアクティブ化ステータスを変更するための上位レイヤコマンドを受信してもよい。ＵＥは、上位レイヤコマンドの受信の後の期間の間、単一のコンポーネントキャリア上でダウンリンクのデータ送信を受信してもよい。１つの態様では、ＵＥは、上位レイヤコマンドの受信の後、第１のマッピングのフォールバックコンフィギュレーションに基づいて、ダウンリンクのデータ送信を肯定応答するためのアップリンク制御チャネルリソースを決定し、第１のマッピングのフォールバックコンフィギュレーションに基づくアップリンク制御チャネルリソース上で、単一のコンポーネントキャリア上での、ダウンリンクのデータ送信に対するＡＣＫ／ＮＡＣＫ情報を送る。代替的に、ＵＥは、アクティブ化ステータスの変更に対応するアップリンク制御チャネルリソースの第３のマッピングを選択してもよい。第３のマッピングは、単一のキャリアダウンリンク送信に対するフォールバックコンフィギュレーションを含んでいてもよく、ＵＥは、第１のマッピングのフォールバックコンフィギュレーションまたは第３のマッピングのフォールバックコンフィギュレーションに基づいて、ダウンリンクのデータ送信を肯定応答するためのアップリンク制御チャネルリソースを決定してもよい。
【０００７】
ＵＥは、複数のアクティブ化されたコンポーネントキャリア上での、ダウンリンクのデータ送信を肯定応答するためのＡＣＫ／ＮＡＣＫの第２のビット数を決定してもよく、ＡＣＫ／ＮＡＣＫの第２のビット数に基づいて第３のマッピングを選択してもよい。ＵＥは、その後、第３のマッピングに基づいて、複数のアクティブ化されたコンポーネントキャリア上での、ダウンリンクのデータ送信を肯定応答するためのアップリンク制御チャネルリソースを決定してもよく、アップリンク制御チャネルリソース上で、ダウンリンクのデータ送信に対するＡＣＫ／ＮＡＣＫ情報を送ってもよい。
【０００８】
他の態様では、ＵＥは、コンポーネントキャリアの第１のコンフィギュレーションにおける少なくとも１つのキャリアの送信モードを変更するための上位レイヤコマンドを受信してもよく、上位レイヤコマンドの受信の後の期間の間、単一のコンポーネントキャリア上での、ダウンリンクのデータ送信を受信してもよい。ＵＥは、上位レイヤコマンドの受信の後、第１のマッピングのフォールバックコンフィギュレーションに基づいて、単一のキャリア上での、ダウンリンクのデータ送信を肯定応答するためのアップリンク制御チャネルリソースを決定してもよい。代替的に、ＵＥは、送信モードの変更に対応するアップリンク制御チャネルリソースの第３のマッピングを選択してもよい。第３のマッピングは、単一のキャリアダウンリンク送信に対するフォールバックコンフィギュレーションを含んでいてもよく、ＵＥは、第１のマッピングのフォールバックコンフィギュレーションまたは第３のマッピングのフォールバックコンフィギュレーションに基づいて、ダウンリンクのデータ送信を肯定応答するためのアップリンク制御チャネルリソースを決定してもよい。
【０００９】
ＵＥは、上位レイヤコマンドに関連して、第２の送信モードの少なくとも１つのキャリアを含む複数の構成されているコンポーネントキャリア上での、ダウンリンクのデータ送信を肯定応答するためのＡＣＫ／ＮＡＣＫの第２のビット数を決定してもよく、ＡＣＫ／ＮＡＣＫの第２のビット数に基づいて、アップリンク制御チャネルリソースへの、ＡＣＫ／ＮＡＣＫビットの第３のマッピングを選択してもよい。ＵＥは、第３のマッピングに基づくアップリンク制御チャネルリソース上で、ダウンリンクのデータ送信に対するＡＣＫ／ＮＡＣＫ情報を送ってもよい。
【００１０】
他の態様は、開示した方法を実行する装置および製造品を含む。
【００１１】
１つの態様では、マルチキャリア動作のために構成されている基地局が、アップリンク制御チャネルリソース上で、ユーザ機器（ＵＥ）からの、ダウンリンクのデータ送信を肯定応答するＡＣＫ／ＮＡＣＫ情報を受信する。基地局は、ＵＥのコンフィギュレーションに対応するアップリンク制御チャネルリソースの第１のマッピングに基づいて、ＡＣＫ／ＮＡＣＫ情報からＡＣＫ／ＮＡＣＫビットを決定してもよい。第１のマッピングは、単一のコンポーネントキャリア上での、ダウンリンクのデータ送信に対するフォールバックコンフィギュレーションを含み、フォールバックコンフィギュレーションは、ＡＣＫ／ＮＡＣＫビットへの、アップリンク制御チャネルリソースの第２のマッピングにおいて、単一のコンポーネントキャリア上での、ダウンリンクのデータ送信のためのコンフィギュレーションにマッチする。基地局は、ダウンリンクのコンポーネントキャリアの第２のコンフィギュレーションに対する上位レイヤコマンドを送信し、上位レイヤコマンドの送信に続く移行期間の間、単一のコンポーネントキャリア上での、ＵＥへの、ダウンリンクのデータ送信をスケジューリングする。１つの態様では、上位レイヤコマンドは、再コンフィギュレーションコマンド、アクティブ化コマンド、非アクティブ化コマンドまたは送信モードを変更するためのコマンドのうちの１つであってもよい。
【００１２】
付加的に、基地局は、第１のマッピングのフォールバックコンフィギュレーションに対応する、または、再構成にしたがって決定された第３のマッピングのマッチングフォールバック部分に対応するアップリンク制御チャネルリソース上で、ＡＣＫ／ＮＡＣＫビットを受信してもよい。基地局は、コンポーネントキャリアの第２のコンフィギュレーション上でダウンリンクデータを送信してもよく、期間の後、第３のマッピングに対応するアップリンク制御チャネルリソース上でＡＣＫ／ＮＡＣＫビットを受信してもよい。
【００１３】
他の態様は、方法を実行する装置および製造品を含む。
【図面の簡単な説明】
【００１４】
付随図面では、本開示の態様を図示している。  
【図１】図１は、例示的なマルチキャリアワイヤレス通信システムを図示している。
【図２】図２は、図１中で図示されているような例示的なマルチキャリアワイヤレス通信システムにおける、基地局およびユーザ機器のブロックダイヤグラムである。
【図３Ａ】図３Ａは、１つのコードワードを有するように構成されている単一のキャリアに対するアップリンク制御チャネルリソースへの、１つのＡＣＫ／ＮＡＣＫビットの例示的なマッピングを図示しているテーブルである。
【図３Ｂ】図３Ｂは、２つのコードワードを有するように構成されている単一のキャリアに対するアップリンク制御チャネルリソースへの、２つのＡＣＫ／ＮＡＣＫビットの例示的なマッピングを図示しているテーブルである。
【図４】図４は、例示的な２つのキャリアシステムにおける、アップリンク制御チャネルリソースへの、ＡＣＫ／ＮＡＣＫビットの例示的なマッピングを図示しているテーブルである。
【図５】図５は、例示的な２つのキャリアシステムにおける、アップリンク制御チャネルリソースへの、ＡＣＫ／ＮＡＣＫビットの別の例示的なマッピングを図示しているテーブルである。
【図６】図６は、例示的な２つのキャリアシステムにおける、アップリンク制御チャネルリソースへの、ＡＣＫ／ＮＡＣＫビットの別の例示的なマッピングを図示しているテーブルである。
【図７】図７は、本開示にしたがった、ユーザ機器および基地局のさらなる態様を図示している機能ブロックダイヤグラムである。
【図８】図８は、本開示にしたがった、ＡＣＫ／ＮＡＣＫ情報を報告するユーザ機器における例示的な方法を図示しているフローチャートである。
【図９】図９は、本開示にしたがった、ＡＣＫ／ＮＡＣＫ情報を受信する基地局における例示的な方法を図示しているフローチャートである。
【図１０】図１０は、図８および図９中で図示されている例示的な方法を実行できる例示的な装置を図示している。
【詳細な説明】
【００１５】
以下の記述では、限定されない説明の目的のために、さまざま開示した実施形態の完全な理解を提供するために、詳細および記述を示す。しかしながら、これらの詳細および記述から逸脱する他の実施形態において、さまざまな実施形態を実施してもよいことは、当業者に明らかになるだろう。
【００１６】
ここで使用するような、用語“コンポーネント”、“モジュール”、“システム”およびこれらに類するものは、ハードウェアや、ファームウェアや、ハードウェアとソフトウェアの組み合わせや、ソフトウェアや、または、実行中のソフトウェアのいずれかである、コンピュータ関連エンティティのことを指すことを意図している。例えば、コンポーネントは、プロセッサ上で実行しているプロセス、プロセッサ、オブジェクト、実行可能ファイル、実行のスレッド、プログラムおよび／またはコンピュータであってもよいが、これらに限定されない。例示として、コンピューティングデバイス上で実行しているアプリケーションおよびコンピューティングデバイスの双方とも、コンポーネントとすることができる。１つ以上のコンポーネントは、実行のプロセスおよび／またはスレッド内に存在することができ、コンポーネントは、１つのコンピュータ上で局所化および／または２つ以上のコンピュータ間で分散されてもよい。加えて、これらのコンポーネントは、そこに記憶されているさまざまなデータ構造を有するさまざまなコンピュータ読み取り可能媒体から実行できる。コンポーネントは、１つ以上のデータパケットを有する信号（例えば、ローカルシステム、分散システム中の別のコンポーネントと対話している、および／または、インターネットのようなネットワーク全体にわたって、信号によって他のシステムと対話している１つのコンポーネントからの、データ）にしたがうような、ローカルおよび／またはリモートプロセスによって通信してもよい。
【００１７】
さらに、ユーザ機器に関連して、いくつかの実施形態をここで記述する。ユーザ機器は、ユーザ端末とも呼ばれることがあり、システム、加入者ユニット、加入者局、移動局、移動体ワイヤレス端末、移動体デバイス、ノード、デバイス、遠隔局、遠隔端末、端末、ワイヤレス通信デバイス、ワイヤレス通信装置またはユーザエージェントの機能の、いくつかまたはすべてを含んでいてもよい。ユーザ機器は、セルラ電話機、コードレス電話機、セッション開始プロトコル（ＳＩＰ）電話機、スマートフォン、ワイヤレスローカルループ（ＷＬＬ）局、パーソナルデジタルアシスタント（ＰＤＡ）、ラップトップ、ハンドヘルド通信デバイス、ハンドヘルドコンピューティングデバイス、衛星無線、ワイヤレスモデムカードおよび／またはワイヤレスシステムを通して通信する別の処理デバイスとすることができる。さらに、基地局に関連して、ここで、さまざまな態様を記述する。基地局は、１つ以上のワイヤレス端末と通信するために利用してもよく、アクセスポイント、ノード、ノードＢ、進化したノードＢ（ｅＮＢ）または他の何らかのネットワークエンティティとも呼ばれることもあり、アクセスポイント、ノード、ノードＢ、進化したノードＢ（ｅＮＢ）または他の何らかのネットワークエンティティの、機能のいくつかを、または、すべてを含んでいてもよい。基地局は、ワイヤレス端末とエアインターフェースを通して通信する。通信は、１つ以上のセクタを通して行われてもよい。基地局は、受信したエアインターフェースフレームをＩＰパケットに変換することによって、ワイヤレス端末と残りのアクセスネットワークとの間のルータとして機能でき、アクセスネットワークは、インターネットプロトコル（ＩＰ）ネットワークを含むことができる。基地局は、エアインターフェースに対する属性の管理も調整でき、ワイヤードネットワークとワイヤレスネットワークとの間のゲートウェイであってもよい。
【００１８】
多数のデバイスや、コンポーネントや、モジュールや、これらに類するものを含み得るシステムに関して、本開示のさまざまな特徴および態様を提示する。さまざまなシステムは、付加的なデバイス、コンポーネント、モジュール等を含んでいてもよいことを、および／または、図面に関連して説明した、デバイス、コンポーネント、モジュール等のすべてを含んでいなくてもよいことを理解および正しく認識すべきである。これらのアプローチを組み合わせたものも、使用してもよい。
【００１９】
付加的に、主題記述では、例として、事例として、あるいは実例として機能することを意味するために、“例示的な”という単語をここで使用する。“例示的な”ものとして、ここで記述した、いずれの実施形態または設計も、他の実施形態または設計と比較して、必ずしも、好ましいものとして、または、効果的なものとして解釈すべきではない。むしろ、例示的なという単語の使用は、具体的な態様で概念を提示することを意図している。
【００２０】
マルチキャリアワイヤレス通信システムにおいて、ここで記述した技術を実施してもよい。１つの例示的なワイヤレス通信システムは、効率的に、全体のシステム帯域幅を複数（ＮF個）のサブキャリアに区分する、直交周波数分割多重（ＯＦＤＭ）を利用してもよい。これらのサブキャリアは、周波数サブチャネル、トーンまたは周波数ビンとも呼ばれることがある。送信されることになるデータ（すなわち、情報ビット）は、特定のコーディングスキームにより最初にエンコードされ、コード化されたビットが発生され、コード化されたビットは、マルチビットシンボルにさらにグループ化される。その後、マルチビットシンボルは、変調シンボルにマッピングされる。各変調シンボルは、データ送信のために使用される特定の変調スキーム（例えば、Ｍ−ＰＳＫまたはＭ−ＱＡＭ）によって規定されている信号配列におけるポイントに対応している。各周波数サブキャリアの帯域幅に依存しているかもしれない各時間間隔で、変調シンボルは、ＮF個の周波数サブキャリアのそれぞれの周波数サブキャリア上で送信されてもよい。したがって、システム帯域幅にわたって、異なる減衰量によって特徴付けられる、周波数選択性フェーディングによって生じる相互シンボル干渉（ＩＳＩ）に対処するために、ＯＦＤＭを使用してもよい。
【００２１】
一般的に、ワイヤレス多元接続通信システムは、複数のワイヤレス端末に対する通信を同時にサポートできる。各端末は、フォワードリンクおよびリバースリンク上での送信を通して、１つ以上の基地局と通信する。フォワードリンク（すなわち、ダウンリンク、ＤＬ）は、基地局からワイヤレス端末への通信リンクのことを指すことがある。リバースリンク（すなわち、アップリンク、ＵＬ）は、端末から基地局への通信リンクのことを指すことがある。マルチキャリアシステムでは、１つ以上のコンポーネントキャリア（ＣＣ）は、各ワイヤレス端末に対してＤＬおよびＵＬ上で構成できる。（ワイヤレス端末が、同じ数のダウンリンクおよびアップリンクのコンポーネントキャリアを持つ）このような構成は、対称的とすることができ、または、（ワイヤレスが、異なる数のダウンリンクおよびアップリンクのキャリアを持つ）このような構成は、非対称とすることができる。次に、各ＣＣの送信モードは、別個に構成できる。
【００２２】
ＭＩＭＯ送信は、複数（ＮT本）の送信アンテナと複数（ＮR本）の受信アンテナとを用いる。ＮT本の送信アンテナおよびＮR本の受信アンテナによって形成されるＭＩＭＯチャネルは、空間チャネルとも呼ばれる、ＮS個の独立チャネルに分解されてもよく、ここでは、ＮS≦ｍｉｎ｛ＮT，ＮR｝である。ＮS個の独立チャネルのそれぞれは、次元に対応する。複数の送信および受信アンテナによって生成されるさらなる次元が利用される場合、ＭＩＭＯ送信は、改善された性能（例えば、より高いスループットおよび／またはより高い信頼性）を提供できる。ＭＩＭＯは、時分割デュプレックス（ＴＤＤ）および周波数分割デュプレックス（ＦＤＤ）システムの両方においてもサポートされる。ＴＤＤシステムでは、相反原理によって、リーバスリンクチャネルからの、フォワードリンクチャネルの推定が可能になるように、フォワードおよびリバースリンク送信は同じ周波数領域上でなされる。これによって、複数のアンテナが基地局において利用可能であるときに、基地局は、フォワードリンク上での送信ビームフォーミング利得を抽出することが可能になる。
【００２３】
図１は、マルチキャリアワイヤレス通信システム１００を示している。基地局１０２は、複数のアンテナグループを備えていてもよく、各アンテナグループは１つ以上のアンテナを備えていてもよい。例えば、基地局１０２が６本のアンテナを備えている場合、１つのアンテナグループは、第１のアンテナ１０４と第２のアンテナ１０６とを備えていてもよく、別のアンテナグループは、第３のアンテナ１０８と第４のアンテナ１１０とを備えていてもよいとともに、第３のグループは、第５のアンテナ１１２と第６のアンテナ１１４とを備えていてもよい。先に述べたアンテナグループのそれぞれは、２本のアンテナを持っているとして識別したが、各アンテナグループにおいて、より多くの、または、より少ないアンテナを利用してもよいことに留意すべきである。
【００２４】
第１のユーザ機器１１６は、第１のフォワードリンク１２０を通しての、第１のユーザ機器１１６への情報の送信を可能にするように、例えば、第５のアンテナ１１２および第６のアンテナ１１４と通信する。示されているように、例示的な第１のフォワードリンク１２０は、３つのコンポーネントキャリア（ＣＣ）を構成しているが、例示的な第１のリバースリンク１１８は、１つのコンポーネントキャリアを含む。フォワードリンク１２０およびリバースリンク１１８の双方におけるコンポーネントキャリアの数は、継時的に変化し、本例によって限定されるものではない。例えば、時々、基地局１０２は、担当するユーザ機器１１６、１２２に対する、複数のアップリンクおよびダウンリンクのＣＣを構成および再構成してもよい。基地局１０２は、構成したコンポーネントキャリアをアクティブ化および非アクティブ化して、ならびに／あるいは、送信モードを変更して、ユーザ機器１１６、１２２への、ダウンリンクの送信を変えてもよい。
【００２５】
図１はまた、例えば、第２のフォワードリンク１２６を通しての、第２のユーザ機器１２２への情報の送信と、第２のリバースリンク１２４を通しての、第２のユーザ機器１２２からの情報の受信とを可能にするように、基地局１０２の第３のアンテナ１０８および第４のアンテナ１１０と通信している第２のユーザ機器１２２を図示している。周波数分割デュプレクス（ＦＤＤ）システムでは、図１中で示されているコンポーネントキャリア１１８、１２０、１２４、１２６は、通信のために、異なる周波数を使用してもよい。例えば、第１のフォワードリンク１２０は、その後第１のリバースリンク１１８により使用される周波数とは異なる周波数を使用してもよい。
【００２６】
アンテナの各グループおよび／またはアンテナの各グループが通信するように設計されているエリアを、基地局１０２のセクタと呼ぶことがある。例えば、図１中で描写されているアンテナグループは、基地局１０２の異なるセクタ中の、ユーザ機器１１６、１２２と通信するように設計されていてもよい。フォワードリンク１２０および１２６上では、異なるユーザ機器１１６および１２２に対するフォワードリンクの信号対ノイズ比を改善させるために、基地局１０２の送信アンテナは、ビームフォーミングを利用してもよい。カバレッジエリア全体にわたって散在されているユーザ機器に送信するためのビームフォーミングの使用は、隣接セル中のユーザ機器に対して生じる干渉量を減少させることができる。
【００２７】
例示的なマルチキャリア通信システム１００は、論理チャネルを含んでいてもよく、論理チャネルは、制御チャネルとトラフィックチャネルとに分類される。論理制御チャネルは、システム制御情報をブロードキャストするためのダウンリンクチャネルであるブロードキャスト制御チャネル（ＢＣＣＨ）と、ページング情報を転送するダウンリンクチャネルであるページング制御チャネル（ＰＣＣＨ）と、マルチメディアブロードキャストおよびマルチキャストサービス（ＭＢＭＳ）スケジューリング、ならびに、１つまたはいくつかのマルチキャストトラフィックチャネル（ＭＴＣＨ）に対する制御情報を送信するために使用されるポイントツーマルチポイントダウンリンクチャネルであるマルチキャスト制御チャネル（ＭＣＣＨ）とを含んでいてもよい。一般的に、無線リソース制御（ＲＲＣ）接続が確立された後、ＭＣＣＨは、ＭＢＭＳを受信するユーザ機器によってのみ使用される。専用制御チャネル（ＤＣＣＨ）は、ＲＲＣ接続を持つユーザ機器によって使用されるユーザ特有制御情報のような、専用制御情報を送信するポイントツーポイント双方向チャネルである別の論理制御チャネルである。共通の制御チャネル（ＣＣＣＨ）は、ランダムアクセス情報に対して使用されてもよい、論理制御チャネルでもある。論理トラフィックチャネルは、専用トラフィックチャネル（ＤＴＣＨ）を含んでいてもよく、専用トラフィックチャネル（ＤＴＣＨ）は、ユーザ情報の転送のための、１つのユーザ機器専用のポイントツーポイント双方向チャネルである。また、マルチキャストトラフィックチャネル（ＭＴＣＨ）は、トラフィックデータのポイントツーマルチポイントダウンリンク送信に対して使用されてもよい。
【００２８】
加えて、通信システムにおけるさまざまな論理トランスポートチャネルは、ダウンリンク（ＤＬ）とアップリンク（ＵＬ）とに分類されてもよい。ＤＬトランスポートチャネルは、ブロードキャストチャネル（ＢＣＨ）と、ダウンリンク共有データチャネル（ＤＬ−ＳＤＣＨ）と、マルチキャストチャネル（ＭＣＨ）と、ページングチャネル（ＰＣＨ）とを含んでいてもよい。ＵＬトランスポートチャネルは、ランダムアクセスチャネル（ＲＡＣＨ）と、要求チャネル（ＲＥＱＣＨ）と、アップリンク共有データチャネル（ＵＬ−ＳＤＣＨ）と、複数の物理チャネルとを含んでいてもよい。物理チャネルは、ダウンリンクおよびアップリンクチャネルのセットも含んでいてもよい。
【００２９】
ダウンリンク物理チャネルは、共通パイロットチャネル（ＣＰＩＣＨ）と、同期チャネル（ＳＣＨ）と、共通制御チャネル（ＣＣＣＨ）と、共有ダウンリンク制御チャネル（ＳＤＣＣＨ）と、マルチキャスト制御チャネル（ＭＣＣＨ）と、共有アップリンク割り当てチャネル（ＳＵＡＣＨ）と、肯定応答チャネル（ＡＣＫＣＨ）と、ダウンリンク物理共有データチャネル（ＤＬ−ＰＳＤＣＨ）と、アップリンク電力制御チャネル（ＵＰＣＣＨ）と、ページングインジケータチャネル（ＰＩＣＨ）と、負荷インジケータチャネル（ＬＩＣＨ）と、物理ブロードキャストチャネル（ＰＢＣＨ）と、物理制御フォーマットインジケータチャネル（ＰＣＦＩＣＨ）と、物理ダウンリンク制御チャネル（ＰＤＣＣＨ）と、物理ハイブリッドＡＲＱインジケータチャネル（ＰＨＩＣＨ）と、物理ダウンリンク共有チャネル（ＰＤＳＣＨ）と、物理マルチキャストチャネル（ＰＭＣＨ）と、のうちの少なくとも１つを含んでいてもよい。アップリンク物理チャネルは、物理ランダムアクセスチャネル（ＰＲＡＣＨ）と、チャネル品質インジケータチャネル（ＣＱＩＣＨ）と、肯定応答チャネル（ＡＣＫＣＨ）と、アンテナサブセットインジケータチャネル（ＡＳＩＣＨ）と、共有要求チャネル（ＳＲＥＱＣＨ）と、アップリンク物理共有データチャネル（ＵＬ−ＰＳＤＣＨ）と、ブロードバンドパイロットチャネル（ＢＰＩＣＨ）と、物理アップリンク制御チャネル（ＰＵＣＣＨ）と、物理アップリンク共有チャネル（ＰＵＳＣＨ）と、のうちの少なくとも１つを含んでいてもよい。
【００３０】
さらに、さまざまな開示した実施形態を記述する際に、以下の専門用語および特徴を使用することがある。  
３ＧＰＰ                  第３世代パートナーシッププロジェクト
ＡＭＣ                    適応変調およびコーディング
ＢＴＳ                    基地トランシーバ局
ＣＣ                      コンポーネントキャリア
ＣＳＩ                    チャネル状態情報
ＣＱＩ                    チャネル品質インジケータ
ＤＣＩ                    ダウンリンク制御情報
ＤＦＴ−Ｓ−ＯＦＤＭ      離散フーリエ変換拡散ＯＦＤＭ
ＤＬ                      ダウンリンク（基地局から加入者への送信）
Ｅ−ＵＴＲＡＮ            進化したＵＭＴＳ地上無線アクセスネットワーク
ｅＮＢ                    進化ノードＢ
ＦＤＤ                    周波数分割デュプレックス
ＬＴＥ                    ロングタームエボリューション
ＭＩＭＯ                  複数入力複数出力
ＯＦＤＭＡ                直交周波数分割多元接続
ＰＤＣＣＨ                物理ダウンリンク制御チャネル
ＰＤＳＣＨ                物理ダウンリンク共有チャネル
ＰＭＩ                    プリコーディング行列インジケータ
ＰＣＣ                    一次コンポーネントキャリア
ＰＵＣＣＨ                物理アップリンク制御チャネル
ＰＵＳＣＨ                物理アップリンク共有チャネル
ＲＩ                      ランクインジケータ
ＳＣＣ                    二次コンポーネントキャリア
ＳＩＭＯ                  単一入力複数出力
ＵＬ                      アップリンク
【００３１】
図２は、図１中で記述したようなものとすることができる、例示的なマルチキャリアワイヤレス通信システム２００の付加的な態様を図示しているブロックダイヤグラムである。示されているように、システム２００は、（“送信機システム”、“アクセスポイント”、または“ｅノードＢ”とも呼ばれる）基地局２１０と、（“受信機システム”、“遠隔端末”または“アクセス端末”とも呼ばれる）ユーザ機器２５０とを含む。たとえ、基地局２１０を送信機システムと呼んだとしても、および、ユーザ機器２５０を受信機システムと呼んだとしても、図示されているように、これらのシステムは双方向で通信することが正しく認識されるだろう。したがって、“送信機システム”および“受信機システム”という用語は、いずれのシステムからの単一方向通信に限定されない。さらに、図２の送信機システム２１０および受信機システム２５０は、それぞれ、複数の他の受信機および送信機システムと通信してもよいことにも留意すべきである。
【００３２】
基地局２１０において、多数のデータストリームに対するトラフィックデータが、データソース２１２から送信（ＴＸ）データプロセッサ２１４に提供される。各データストリームは、それぞれの送信機システムを通して送信されてもよい。ＴＸデータプロセッサ２１４は、そのデータストリームに対して選択された特定のコーディングスキームに基づいて、各データストリームに対するトラフィックデータをフォーマット化し、コード化し、インターリーブして、コード化されたデータを提供する。各データストリームに対するコード化されたデータは、例えば、ＯＦＤＭ技術を使用して、パイロットデータにより多重化されてもよい。パイロットデータは、典型的に、既知の態様で処理される既知のデータパターンであり、チャネル応答を推定するために受信機システムにおいて使用されてもよい。その後、各データストリームに対する、多重化されたパイロットおよびコード化されたデータは、そのデータストリームに対して選択された特定の変調スキーム（例えば、ＢＰＳＫ、ＱＳＰＫ、Ｍ−ＰＳＫまたはＭ−ＱＡＭ）に基づいて変調（シンボルマッピング）され、変調シンボルが提供される。各データストリームに対する、データレート、コーディングおよび変調は、送信機システム２１０のプロセッサ２３０によって実行される命令によって決定されてもよい。
【００３３】
本例では、すべてのデータストリームに対する変調シンボルは、ＴＸ ＭＩＭＯプロセッサ２２０に提供されてもよく、ＴＸ ＭＩＭＯプロセッサ２２０は、（例えば、ＯＦＤＭのために）さらなる処理を実行できる。ＴＸ ＭＩＭＯプロセッサ２２０は、その後、ＮT個の変調シンボルストリームをＮT個の送信機システムトランシーバ（ＴＭＴＲ）２２２ａないし２２２ｔに提供してもよい。ＴＸ ＭＩＭＯプロセッサ２２０は、データストリームのシンボルに、および、シンボルが送信されているアンテナ２２４に、ビームフォーミング重みをさらに適用してもよい。
【００３４】
基地局２１０におけるトランシーバ２２２ａないし２２２ｔは、それぞれのシンボルストリームを受信および処理して、１つ以上のアナログ信号を提供し、さらに、そのアナログ信号を調整して、送信に適した変調された信号を提供する。いくつかのシステムでは、調整は、増幅、フィルタリング、アップコンバージョンおよびこれらに類するもののような動作を含んでいてもよいが、これらに限定されない。トランシーバ２２２ａないし２２２ｔによって生成された変調信号は、その後、図２中で示されているような送信機システム２１０の、アンテナ２２４ａないし２２４ｔから送信される。
【００３５】
ユーザ機器２５０において、変調され送信された信号は、アンテナ２５２ａないし２５２ｒによって受信されてもよく、受信機システムのアンテナ２５２ａないし２５２ｒのそれぞれからの受信信号は、それぞれのトランシーバ（ＲＣＶＲ）２５４ａないし２５４ｒに提供される。ユーザ機器２５０における各トランシーバ２５４ａないし２５４ｒは、それぞれの受信信号を調整し、調整した信号をデジタル化して、サンプルを提供し、そのサンプルをさらに処理して、対応する“受信”シンボルストリームを提供してもよい。調整は、増幅、フィルタリング、ダウンコンバージョンおよびこれらに類するもののような動作を含んでいてもよいが、これらに限定されない。
【００３６】
ＲＸデータプロセッサ２６０は、トランシーバ２５４ａないし２５４ｒからシンボルストリームを受け取り、特定の受信機処理技術に基づいて処理して、複数の“検出した”シンボルストリームを提供する。１つの例では、各検出されたシンボルストリームは、対応するデータストリームに対する送信されたシンボルの推定値であるシンボルを含むことができる。ＲＸデータプロセッサ２６０は、各検出したシンボルストリームを、復調し、デインターリーブし、および、デコードし、対応するデータストリームに対するトラフィックデータを復元できる。ＲＸデータプロセッサ２６０による処理は、送信機デバイス２１０における、ＴＸ ＭＩＭＯプロセッサ２２０およびＴＸデータプロセッサ２１４によって実行される処理に対して相補的であってもよい。ＲＸデータプロセッサ２６０は、付加的に、処理したシンボルストリームをデータシンク２６４に提供できる。
【００３７】
チャネル応答推定値は、ＲＸデータプロセッサ２６０によって発生されてもよく、受信機システムにおける空間／時間処理を実行するために、電力レベルを調整するために、変調レートまたはスキームを変更するために、および／または他の適切なアクションを実行するために使用されてもよい。付加的に、ＲＸデータプロセッサ２６０は、検出したシンボルストリームの、信号対ノイズ（ＳＮＲ）および信号対干渉比（ＳＩＲ）のようなチャネル特性をさらに推定できる。ＲＸデータプロセッサ２６０は、その後、推定したチャネル特性をプロセッサ２７０に提供できる。１つの例では、受信機システムのＲＸデータプロセッサ２６０および／またはプロセッサ２７０は、チャネル状態情報（ＣＳＩ）をさらに導出できる。チャネル状態情報（ＣＳＩ）は、通信リンクおよび／または受信したデータストリームに関する情報を含んでいてもよい。
【００３８】
受信機システム２５０は、空間的に多重化された信号を受信および処理できてもよい。空間多重化は、送信機システムのアンテナ２２４ａないし２２４ｔ上で、異なるデータストリームを多重化および送信することによって、送信機システム２１０において実行されてもよい。これは、同じデータストリームを複数の送信機システムのアンテナ２２４ａないし２２４ｔから送る送信ダイバシティスキームの使用とは対照的である。空間的に多重化された信号を受信および処理するＭＩＭＯ通信システムでは、プリコード行列が、典型的に、送信機システムのアンテナ２２４ａないし２２４ｔのそれぞれから送信された信号が互いに十分に確実に非相関にされるように送信機システム２１０において使用される。この非相関は、任意の特定の受信機システムのアンテナ２５２ａないし２５２ｒに到達する複合信号を受信できることを、および、他の送信機システムのアンテナ２２４ａないし２２４ｔからの他のデータストリームを運ぶ信号の存在下で、個々のデータストリームを決定できることを確実にする。
【００３９】
通信システム２００は、上述した空間的に多重化するスキームの代わりに、送信ダイバシティスキームも利用できる。これらの例では、同じデータストリームが、送信機システムのアンテナ２２４ａないし２２４ｔにわたって送信される。受信機システム２５０に配信されたデータレートは、典型的には、空間的に多重化するＭＩＭＯ通信システム２００よりも低い。送信ダイバシティスキームは、通信チャネルの、ロバスト性および信頼性を提供できる。送信機システムのアンテナ２２４ａないし２２４ｔから送信された信号のそれぞれは、異なる干渉環境（例えば、フェーディング、反射、マルチパス位相シフト）を経験するだろう。受信機システムのアンテナ２５２ａないし２５４ｒにおいて受信された異なる信号特性は、適切なデータストリームを決定する際に有用であるかもしれない。
【００４０】
他の例は、空間多重化および送信ダイバシティの組み合わせを利用してもよい。例えば、４本のアンテナ２２４を持つシステムでは、第１のデータストリームが、アンテナのうちの２本上で送信されてもよく、第２のデータストリームは、残りの２本のアンテナ上で送信されてもよい。これらの例示的なシステムでは、ランクインインジケータは、空間多重化および送信ダイバシティの組み合わせを用いるように送信機システム２１０に示す、プリコード行列のフルランクよりも低い整数に設定されてもよい。ここで記述したように、送信機システム２１０は、受信機システム２５０への、ダウンリンクのデータ送信におけるコードワードの数を変えてもよい。例えば、送信機システム２１０は、そのコンポーネントキャリアを再構成するための、コンポーネントキャリアをアクティブ化または非アクティブ化するための、および／またコンポーネントキャリアの送信モードを変更するための上位レイヤコマンドを受信機システム２５０に送ってもよい。
【００４１】
送信機システム２１０において、受信機システム２５０によって送信されたリバースリンクメッセージを抽出するために、受信機システム２５０からの変調信号は、送信機システムのアンテナ２２４によって受信され、トランシーバ２２２によって調整され、復調器２４０によって復調され、ＲＸデータプロセッサ２４２によって処理される。送信機システム２１０におけるプロセッサ２３０は、その後、将来のフォワードリンク送信のためにどのプリコーディング行列を使用するかを決定してもよい。プロセッサ２３０はまた、将来のフォワードリンク送信のために、受信信号を使用して、ビームフォーミング重みを調整できる。
【００４２】
３ＧＰＰ ＬＴＥ Ｒｅｌ−８のような従来の単一のキャリアシステムでは、基地局によって送信されるダウンリンクキャリアは、ダウンリンク送信サブフレーム中の１つまたは２つのそれぞれのデータブロックに対応する１つまたは２つのコードワードを有するように構成されていてもよい。ダウンリンク送信を受信し次第、ユーザ機器は、技術的に良く知られている技術を使用してデータ送信をデコードしようと試行する。
【００４３】
１つのコードワードのキャリアコンフィギュレーションでは、ユーザ機器は、アップリンク制御チャネルにおける指定されているリソースを使用して、１ビットのＡＣＫ／ＮＡＣＫ（肯定応答／否定応答）情報を含む応答を送信するだろう。単一のコードワードキャリアコンフィギュレーションでは、ＬＴＥ ＲＥＬ−８は、ＰＵＣＣＨフォーマット１ａとして指定されている物理アップリンク制御チャネル（ＰＵＣＣＨ）フォーマットを使用する。図３Ａは、ＰＵＣＣＨフォーマット１ａにしたがった、単一ビット（ｂ０）への、ＡＣＫ（Ａ）およびＮＡＣＫ（Ｎ）のマッピングを図示しているテーブルである。このＰＵＣＣＨフォーマット１ａでは、‘１’はＡＣＫを表し、‘０’はＮＡＣＫを表す。その後、単一ビットのＡＣＫ／ＮＡＣＫ情報が、ＢＰＳＫシンボルにマッピングされる。ここでＡＣＫは−１に変調され、ＮＡＣＫは＋１に変調される。
【００４４】
２つのコードワードのキャリアコンフィギュレーションでは、ユーザ機器は、アップリンク制御チャネルにおける指定されているリソースを使用して、２ビットのＡＣＫ／ＮＡＣＫ情報を含む応答を送信してもよい。２つのコードワードキャリアコンフィギュレーションでは、ＬＴＥ Ｒｅｌ−８は、ＰＵＣＣＨフォーマット１ｂとして指定されているＰＵＣＣＨフォーマットを使用する。フォーマット１ｂは、図３Ｂ中で図示されているような４つの異なるＡＣＫ／ＮＡＣＫ状態をサポートするように、２ビットをＡＣＫ／ＮＡＣＫシグナリングに割り振る。図３Ｂは、ＰＵＣＣＨフォーマット１ｂにしたがった、２ビット（ｂ０，ｂ１）への、４つの可能性あるＡＣＫ／ＮＡＣＫ状態のマッピングを図示しているテーブルである。２ビットは、その後、ＱＰＳＫシンボルに変調される。ここで（０，０）は（＋１）にマッピングされ、（０，１）は（−ｊ）にマッピングされ、（１，０）は（＋ｊ）にマッピングされ、（１，１）は（−１）にマッピングされる。
【００４５】
一般的に言えば、Ｎ個のアグリゲートされているコンポーネントキャリアに対して構成されているマルチキャリアワイヤレス通信システムでは、そして、各コンポーネントキャリアが、１つまたは２つのコードワードを有するように構成できる場合には、所定のコンフィギュレーションに対して構成されているコードワードの数Ｍは、Ｎから２Ｎに及ぶことができ、可能性あるＡＣＫ／ＮＡＣＫ状態の対応する数は、２Nから２2Nに及ぶことができる。Ｍ個のコードワードに対するＡＣＫ／ＮＡＣＫ状態を報告するためのＡＣＫ／ＮＡＣＫ情報のビット数は、（２M個の可能性あるＡＣＫ／ＮＡＣＫ状態に対応する）Ｍビットとすることができる。システムが、不連続送信（ＤＴＸ）もサポートするように構成されている場合、一意的なＡＣＫ／ＮＡＣＫ／ＤＴＸ状態のより多い総数を報告するために、追加ビットが必要とされるかもしれない。
【００４６】
ＡＣＫ／ＮＡＣＫ報告のようなアップリンク制御チャネル情報は、ＬＴＥ Ｒｅｌ−１０における一次コンポーネントキャリア（ＰＣＣ）のような、指定されているキャリアに限定されるかもしれない。（ＰＵＣＣＨ フォーマット１ｂのような）ＡＣＫ／ＮＡＣＫ情報を報告するために使用されるアップリンク制御チャネルフォーマットが限定される場合、他の技術を利用してもよい。
【００４７】
１つのこのようなアプローチは、チャネル選択による、アップリンク制御チャネル報告を使用することである。このアプローチにより、ＡＣＫ／ＮＡＣＫフィードバックを提供するために選択されるアップリンクリソースが、追加ビットの情報を伝えてもよい。例えば、ＵＥが、チャネル選択によりＰＵＣＣＨフォーマット１ｂを使用するように構成されているとき、２ビットは、明示的にシグナリングされてもよく、別の２ビットは、利用可能なアップリンク制御チャネルリソースのセットからの、アップリンク制御リソースの選択を通して伝えられてもよい。ユーザ機器および基地局が、アップリンク制御チャネルリソースへの、ＡＣＫ／ＮＡＣＫビットの同じマッピングを使用しているときに、このアプローチは機能する。
【００４８】
しかしながら、システムが、異なる数のコンポーネントキャリア、異なる数のコードワードに対するＵＥを再構成しようとするときに、および／または、１つ以上の構成されているキャリアをアクティブ化または非アクティブ化するときに、問題が生じることがある。このタイプのコンフィギュレーションの変更は、ＬＴＥにおける無線リソース制御（ＲＲＣ）シグナリングのような、上位レイヤからのコマンドによって管理される。タイミングが、特に、問題であり得る。単一の送信サブフレームが１ミリ秒に及ぶことがある一方で、再コンフィギュレーションプロセスは、完了するのに、はるかに長く（例えば、１００＋ミリ秒）必要であることがあり、この移行期間は、ユーザ機器の能力次第で変わることがある。したがって、たとえ、ＵＥが再コンフィギュレーションコマンドを正確にデコードしたとしても、基地局は、いつ、ＵＥが、再構成され、新しいコンフィギュレーションの下、データを受信する準備ができるかの指示を持たないかもしれない。結果として、ＵＥおよび基地局は、整列されないかもしれない。
【００４９】
図４は、“２ビットマッピングテーブル”として識別されている、２つのＤＬコンポーネントキャリアのコンフィギュレーションに対するリソースマッピングテーブルを一部図示している。ここで各キャリアは、１つのコードワードを有するように構成されている。便宜のため、一方のキャリアは、一次コンポーネントキャリア（ＰＣＣ）として指定されており、他方のキャリアは、二次コンポーネントキャリア（ＳＣＣ）として指定されているが、本開示は、これに限定されない。８個の異なるＡＣＫ／ＮＡＣＫ／ＤＴＸ状態を表現するために、このマッピングテーブルは、２つのビット（ｂ０，ｂ１）を、Ｃｈ０およびＣｈ１としてここで示されている２つの異なるアップリンク制御チャネルリソースエレメントにマッピングする。９番目の状態ＤＴＸ／ＤＴＸは、基地局がダウンリンクデータを送信しなかった場合の条件を表現している“ｄｏｎ’ｔ ｃａｒｅ”であり、肯定応答を予期していないことに留意されたい。
【００５０】
図４中で図示され、以下でより詳細に説明されているように、例示的なマッピングは、１つのコードワードを有するように構成されている単一のキャリアに対する、ＰＵＣＣＨフォーマット１ａに対応している２つのエントリを持つ。それは、フォールバックコンフィギュレーションすなわち単一のキャリアコンフィギュレーションとして指定されている。このマッピングは説明目的のためのものに過ぎないことと、さまざまなＡＣＫ／ＮＡＣＫ／ＤＴＸ状態を表現するために他のマッピングを使用してよいことが正しく認識されるだろう。
【００５１】
図５は、“３ビットマッピングテーブル”として識別されている、２つのＤＬコンポーネントキャリアのコンフィギュレーションに対するリソースマッピングテーブルを一部図示している。ここで一方のキャリアは、２つのコードワードを有するように構成されており、他方のキャリアは、１つのコードワードを有するように構成されている。便宜のために、一方のキャリアは一次コンポーネントキャリア（ＰＣＣ）として指定されており、他方のキャリアは、二次コンポーネントキャリア（ＳＣＣ）として指定されているが、本開示は、これに限定されない。１４個の異なるＡＣＫ／ＮＡＣＫ／ＤＴＸ状態を表現するために、このマッピングテーブルは、２ビット（ｂ０，ｂ１）を、Ｃｈ０、Ｃｈ１、およびＣｈ２としてここで示されている３つの異なるアップリンク制御チャネルリソースエレメントにマッピングする。例示的な１５番目の状態ＤＴＸ／ＤＴＸは、基地局がダウンリンクデータを送信しなかった場合の条件を表現している“ｄｏｎ’ｔ ｃａｒｅ”であり、肯定応答を予期していない。また、図５の例示的なマッピング中で示されているように、ＮＡＣＫおよびＤＴＸエントリは、付加的な状態に対応するように特定のコンポーネントキャリアと同じように扱われてもよい。例えば、例示的な３ビットテーブルでは、ＰＣＣに対する（ＤＴＸ，ＤＴＸ）およびＳＣＣに対する（Ａ）をシグナリングするために使用されるのと、同じアップリンクリソース（Ｃｈ０）およびビット値（ｂ０，ｂ１）を利用して、ＰＣＣに対する（Ｎ，Ｎ）およびＳＣＣに対する（Ａ）をシグナリングしてもよい。
【００５２】
図５中で図示され、以下でより詳細に説明されているように、このテーブルは、フォールバックコンフィギュレーションすなわち単一のキャリアコンフィギュレーションとして指定されている、２つのコードワードを有するように構成されている単一のキャリアとＤＴＸモードの他のキャリアとに対する、ＰＵＣＣＨフォーマット１ｂに対応している４つのエントリを有している。このマッピングは例示的なものであること、および、さまざまなＡＣＫ／ＮＡＣＫ／ＤＴＸ状態を表現するために他のマッピングを使用してもよいことが正しく認識されるだろう。
【００５３】
図６は、“４ビットマッピングテーブル”として識別されている、２つのＤＬコンポーネントキャリアのコンフィギュレーションに対するリソースマッピングテーブルを一部図示している。ここでは、両方のキャリアとも、２つのコードワードを有するように構成されている。便宜のため、一方のキャリアは、一次コンポーネントキャリア（ＰＣＣ）として指定されており、他方のキャリアは、二次コンポーネントキャリア（ＳＣＣ）として指定されているが、本開示は、これに限定されない。２３個の異なるＡＣＫ／ＮＡＣＫ／ＤＴＸ状態を表現するために、このマッピングテーブルは、２ビット（ｂ０，ｂ１）を、Ｃｈ０、Ｃｈ１、Ｃｈ２およびＣｈ３として指定されている４つの異なるアップリンク制御チャネルリソースエレメントにマッピングする。このマッピングは、“ｄｏｎ’ｔ ｃａｒｅ”状態である、２４番目の状態ＤＴＸ／ＤＴＸを持つ。前に示したように、Ｎ／ＮおよびＤＴＸエントリは、付加的な状態に対応するように特定のコンポーネントキャリアと同じように扱われてもよい。例えば、４ビットテーブル中の、ＰＣＣに対する（ＤＴＸ，ＤＴＸ）およびＳＣＣに対する（Ａ，Ａ）をシグナリングするために使用されるのと、同じアップリンクリソース（Ｃｈ２）とビット値（ｂ０、ｂ１）とを利用して、ＰＣＣに対する（Ｎ、Ｎ）およびＳＣＣに対する（Ａ，Ａ）をシグナリングする。
【００５４】
図６中で図示され、以下でより詳細に説明されているように、このテーブルは、２つのコードワードを有するように構成されている単一のキャリアとＤＴＸモードの他のキャリアとに対する、ＰＵＣＣＨフォーマット１ｂに対応する４つのエントリを有し、これは、フォールバックコンフィギュレーションすなわち単一のキャリアコンフィギュレーションとして指定されている。このマッピングは例示的なものであること、および、さまざまなＡＣＫ／ＮＡＣＫ／ＤＴＸ状態を表現するために他のマッピングを使用してもよいことが正しく認識されるだろう。
【００５５】
図４−６中で図示されているマッピングテーブルは、２つのコンポーネントキャリアのコンフィギュレーションに対する例示的なマッピングであること、および、本開示はこれに限定されないことが正しく認識されるだろう。ここで記述した同じ一般的原理を使用して、３、４の、または、より多くのコンポーネントキャリアのコンフィギュレーションをサポートしてもよい。
【００５６】
本開示にしたがうと、各マルチキャリアリソースマッピングは、ＵＥが上位レイヤコマンドを処理する移行期間の間、シームレスなＡＣＫ／ＮＡＣＫフィードバックを可能にする、フォールバックコンフィギュレーションを含む。フォールバックコンフィギュレーションは、例えば、ＵＥの上位レイヤプロトコルスタックが確定されて、再コンフィギュレーションにおける他のステップが完了する間、基地局による単一のキャリア送信の使用を促進してもよい。
【００５７】
この動作の１つの例では、ＵＥは、双方ともＭＩＭＯ送信モードの２つのコンポーネントキャリア（ＰＣＣおよびＳＣＣ）を有するように構成されてもよい。ＵＥは、図１および図２に関連して記述したようなものであってもよく、４つのコードワードのダウンリンク送信に対するＡＣＫ／ＮＡＣＫ情報をシグナリングするためのアップリンクリソースを決定するために、２つのＣＣのコンフィギュレーションにおいて図６の例示的なマッピングを利用してもよい。
【００５８】
例示を続けると、基地局は、ＵＥを再構成し、それにより、ダウンリンク送信が受信されるコンポーネントキャリアの数、および／または、それらの対応する送信モードを変更してもよい。例えば、基地局が、ＭＩＭＯ送信モードからＳＩＭＯ送信モードにＳＣＣを変更する場合、新しいコンフィギュレーションの下、ＵＥは、３つのコードワードのみに対するＡＣＫ／ＮＡＣＫを送ることが必要かもしれない。結果として、ＵＥは、図５中で示されている例示的なマッピングに移行してもよい。物理（ＰＨＹ）レイヤでは、ＵＥが、比較的に短期間中に送信モードを変更するための上位レイヤコマンドを肯定応答してもよい。しかしながら、示されているように、ＵＥが、いつ、その上位レイヤプロトコルスタックが確定されて、新しい送信モードが完全に有効になるかについてのシグナリングを提供しないかもしれない。
【００５９】
移行期間中、上位レイヤコマンドを処理する間、基地局は、そのダウンリンク送信を単一のキャリアに限定してもよい。しかしながら、基地局は、ＵＥが上位レイヤコマンドを処理し終えた範囲を知らないかもしれないので、基地局は、ＵＥが、単一のキャリア送信を肯定応答するために、どの、アップリンクリソースのマッピングを利用しているかも知らないかもしれない（例えば、ＵＥは、肯定応答してコマンドを完全に処理したかもしれない、あるいは、ＵＥは、単一のキャリア送信を受信したとき、コマンドを依然として処理している）。１つの態様では、ＵＥは、移行期間の間に、そのマルチキャリアリソースマッピングのフォールバック部分を利用する。図６の４ビットマッピングおよび図５の３ビットマッピングそれぞれは、図３の、フォーマット１Ｂのコンフィギュレーションにマッチしている）エントリのサブセットを持つフォールバックコンフィギュレーションを含むことから、両方のマッピングが、単一のキャリア送信と同じアップリンクリソースを生じさせ、したがって、アライメントの不整の可能性が回避される。同じフォールバック設計は、付加的なコンポーネントキャリアに対するマッピングに適用してもよく、アクティブ化、非アクティブ化または再コンフィギュレーションに起因して、コンポーネントキャリアの数が変化するときに生じる移行の間にも利用されてもよい。
【００６０】
図７は、本開示にしたがった、ユーザ機器（ＵＥ）および基地局の態様を図示している機能ブロックダイヤグラムである。図７では、マルチキャリアＵＥ７０１は、マルチキャリアＵＥ７０１に対して構成されている複数のダウンリンクのコンポーネントキャリア（ＣＣ）７１１の第１のコンフィギュレーション上での、ダウンリンクのデータ送信を肯定応答するためのＡＣＫ／ＮＡＣＫの第１のビット数を決定するように構成されている、コンフィギュレーションモジュール７０３を備えている。ＵＥ７０１は、ＡＣＫ／ＮＡＣＫの第１のビット数に基づいて、アップリンク制御チャネルリソースへの、ＡＣＫ／ＮＡＣＫビットの第１のマッピングを選択するためのリソースマッピングモジュール７０４も備え、第１のマッピングは、複数のコンポーネントキャリア７１１の単一のコンポーネントキャリア上での、ダウンリンクのデータ送信に対するフォールバックコンフィギュレーションを含み、フォールバックコンフィギュレーションは、アップリンク制御チャネルリソースへの、ＡＣＫ／ＮＡＣＫビットの第２のマッピングにおいて、ダウンリンクのデータ送信のための単一のコンポーネントキャリアコンフィギュレーションにマッチする。
【００６１】
リソースマッピングモジュール７０４は、第１のマッピングに基づいて、アップリンクコンポーネントキャリア７１２のうちの１つ上で、ＣＣ７１１の第１のコンフィギュレーション上での、ダウンリンクのデータ送信を肯定応答するためのアップリンク制御チャネルリソースを決定するようにも構成されている。送信機モジュール７０５は、第１のマッピングに基づく、アップリンクキャリア７１２のうちの１つにおけるアップリンク制御チャネルリソース上で、（ダウンリンクのコンポーネントキャリア７１１上での、ダウンリンクのデータ送信に対する）ＡＣＫ／ＮＡＣＫ情報を送るように構成されている。受信機モジュール７０２は、コンポーネントキャリア７１１の第１のコンフィギュレーションからコンポーネントキャリア７１１の第２のコンフィギュレーションに変更するための上位レイヤコマンド（上位レイヤコマンドは、例えば、再コンフィギュレーションコマンド、アクティブ化コマンド、非アクティブ化コマンド、あるいは、ＳＩＭＯからＭＩＭＯに、または、ＭＩＭＯからＳＩＭＯにといったように送信モードを変更するためのコマンド、のうちの１つであってもよい。）を受信するように、そして、上位レイヤコマンドの受信の後の予め定められた期間の間、単一のコンポーネントキャリア上でのみの、ダウンリンクのデータ送信を受信するように構成されている。リソースマッピングモジュール７０４は、第１のマッピングのフォールバックコンフィギュレーションに基づいて、または、新しいコンフィギュレーションに対応する第３のマッピングのフォールバックコンフィギュレーションに基づいて、ダウンリンクのデータ送信に肯定応答するためのアップリンク制御チャネルリソースを決定する。送信機モジュール７０５は、第１のマッピングまたは第３のマッピングのフォールバックコンフィギュレーションに基づく、アップリンクコンポーネントキャリア７１２のうちの１つにおけるアップリンク制御チャネルリソース上で、単一のコンポーネントキャリア７１１上での、ダウンリンクのデータ送信に対するＡＣＫ／ＮＡＣＫ情報を送る。
【００６２】
コンフィギュレーションモジュール７０３は、ＣＣ７１１の第２のコンフィギュレーション上での、ダウンリンクのデータ送信を肯定応答するためのＡＣＫ／ＮＡＣＫの第２のビット数を決定し、リソースマッピングモジュール７０４は、ＡＣＫ／ＮＡＣＫの第２のビット数に基づいて、アップリンクコンポーネントキャリア７１２のうちの１つ上のアップリンク制御チャネルリソースへの、ＡＣＫ／ＮＡＣＫビットの第２のマッピングを選択する。送信機モジュール７０５が、フォールバックコンフィギュレーションに基づくアップリンク制御チャネルリソース上で、単一のダウンリンクのコンポーネントキャリア上での、ダウンリンクのデータ送信に対するＡＣＫ／ＮＡＣＫ情報を送る。リソースマッピングモジュール７０４が、第３のマッピングに基づいて、コンポーネントキャリアの第２のコンフィギュレーション上での、ダウンリンクのデータ送信を肯定応答するためのアップリンク制御チャネルリソースを決定し、送信機モジュール７０５が、第３のマッピングに基づくアップリンク制御チャネルリソース上で、ダウンリンクのデータ送信に対するＡＣＫ／ＮＡＣＫ情報を送る。
【００６３】
図７中でも図示されているように、基地局７０６は、１つ以上のダウンリンクのコンポーネントキャリア７１１上での、ダウンリンクのデータ送信を肯定応答する、ユーザ機器（ＵＥ）からのＡＣＫ／ＮＡＣＫ情報を、アップリンクコンポーネントキャリア７１２のうちの１つにおけるアップリンク制御チャネルリソース上で受信するための受信機モジュールモジュール７０７を備えている。コンフィギュレーションモジュール７０８およびリソースマッピングモジュール７０９が、ＵＥ７０１のコンフィギュレーションに対応するアップリンク制御チャネルリソースの第１のマッピングに基づいて、ＡＣＫ／ＮＡＣＫ情報からＡＣＫ／ＮＡＣＫビットを決定し、第１のマッピングは、単一のダウンリンクのコンポーネントキャリア７１１上での、ダウンリンクのデータ送信に対するフォールバックコンフィギュレーションを含み、フォールバックコンフィギュレーションは、ＡＣＫ／ＮＡＣＫビットへの、アップリンク制御チャネルリソースの第２のマッピングにおいて、単一のコンポーネントキャリア７１１上での、ダウンリンクのデータ送信のためのコンフィギュレーションにマッチする。
【００６４】
送信機モジュール７１０が、ダウンリンクのコンポーネントキャリアの第２のコンフィギュレーションに対する上位レイヤコマンドを送信する（上位レイヤコマンドは、例えば、再コンフィギュレーションコマンド、アクティブ化コマンド、非アクティブ化コマンド、あるいは、ＳＩＭＯからＭＩＭＯに、または、ＭＩＭＯからＳＩＭＯにといったように送信モードを変更するためのコマンド、のうちの１つであってもよい）。そして、スケジューリングモジュールが、上位レイヤコマンドの送信の後の予め定められた期間の間、単一のコンポーネントキャリア７１１上でのみの、ＵＥ７０１への、ダウンリンクのデータ送信をスケジューリングする。
【００６５】
受信機モジュール７０７が、第２のコンフィギュレーションに移行する予め定められた期間の間、アップリンクコンポーネントキャリア７１１のうちの１つ上のアップリンク制御チャネルリソース上で、ＡＣＫ／ＮＡＣＫビットを受信する。リソースマッピングモジュール７０９が、アップリンク制御チャネルリソースに基づいて、ＡＣＫ／ＮＡＣＫ情報を決定する。予め定められた期間の後、送信機モジュール７１０が、コンポーネントキャリア７１１の第２のコンフィギュレーション上で、ダウンリンクデータを送信する。受信機モジュール７０７が、アップリンク制御チャネルリソース上でＡＣＫ／ＮＡＣＫビットを受信する。
【００６６】
基地局２１０におけるプロセッサ２３０およびユーザ機器２５０におけるプロセッサ２７０が、それぞれのそれらのデバイスにおいて実行される動作を指示することを認識するだろう。特に、プロセッサ２３０、２７０は、上述したような、コンフィギュレーション管理およびＡＣＫ／ＮＡＣＫ報告に関連する、異なるアルゴリズムおよびプロセスを実行するステップのシーケンスを実行するための命令を実行できる。付加的に、送信機システム２１０におけるメモリ２３２および受信機システム２５０におけるメモリ２７２は、送信機システムプロセッサ２３０および受信機システムプロセッサ２７０によってそれぞれ使用される、命令およびデータの記憶を提供できる。
【００６７】
図８は、それぞれ、図１、２および７中のユーザ機器１１６、２５０または７０１のようなユーザ機器における方法を図示しているフローチャート８００である。動作８０１において、ＵＥは、マルチキャリアユーザ機器（ＵＥ）に対して構成されている複数のコンポーネントキャリア（ＣＣ）の第１のコンフィギュレーション上での、ダウンリンクのデータ送信を肯定応答するためのＡＣＫ／ＮＡＣＫの第１のビット数を決定する。動作８０２において、ＵＥは、ＡＣＫ／ＮＡＣＫの第１のビット数に基づいて、アップリンク制御チャネルリソースへの、ＡＣＫ／ＮＡＣＫビットの第１のマッピングを選択する。第１のマッピングは、単一のコンポーネントキャリア上での、ダウンリンクのデータ送信に対するフォールバックコンフィギュレーションを含み、フォールバックコンフィギュレーションは、アップリンク制御チャネルリソースへの、ＡＣＫ／ＮＡＣＫビットの第２のマッピングにおいて、ダウンリンクのデータ送信のための単一のコンポーネントキャリアコンフィギュレーションにマッチする。動作８０３において、ＵＥは、第１のマッピングに基づいて、ＣＣの第１のコンフィギュレーション上での、ダウンリンクのデータ送信を肯定応答するためのアップリンク制御チャネルリソースを決定する。動作８０４において、ＵＥは、第１のマッピングに基づくアップリンク制御チャネルリソース上で、ダウンリンクのデータ送信に対するＡＣＫ／ＮＡＣＫ情報を送る。
【００６８】
動作８０５において、ＵＥは、コンポーネントキャリアの第１のコンフィギュレーションからコンポーネントキャリアの第２のコンフィギュレーションに変更するための上位レイヤコマンドを受信する。動作８０６において、ＵＥは、上位レイヤコマンドの受信の後の移行の期間の間、単一のコンポーネントキャリア上でのみの、ダウンリンクのデータ送信を受信する。動作８０７において、ＵＥが、上位レイヤコマンドの受信の後、第１のマッピングのフォールバックコンフィギュレーションに基づいて、ダウンリンクのデータ送信を肯定応答するためのアップリンク制御チャネルリソースを決定する。動作８０８において、ＵＥは、第１のマッピングのフォールバックコンフィギュレーションに基づくアップリンク制御チャネルリソース上で、単一のコンポーネントキャリア上での、ダウンリンクのデータ送信に対するＡＣＫ／ＮＡＣＫ情報を送る。
【００６９】
動作８０９において、ＵＥは、コンポーネントキャリアの第２のコンフィギュレーション上での、ダウンリンクのデータ送信を肯定応答するためのＡＣＫ／ＮＡＣＫの第２のビット数を決定する。動作８１０において、ＵＥは、ＡＣＫ／ＮＡＣＫの第２のビット数に基づいて、アップリンク制御チャネルリソースへの、ＡＣＫ／ＮＡＣＫビットの第２のマッピングを選択する。動作８１１において、ＵＥは、第２のマッピングの単一のコンポーネントキャリアコンフィギュレーションに基づくアップリンク制御チャネルリソース上で、単一のコンポーネントキャリア上での、ダウンリンクのデータ送信に対するＡＣＫ／ＮＡＣＫ情報を送る。動作８１２において、ＵＥは、第２のマッピングに基づいて、コンポーネントキャリアの第２のコンフィギュレーション上での、ダウンリンクのデータ送信を肯定応答するためのアップリンク制御チャネルリソースを決定する。そして、動作８１３において、ＵＥは、第２のマッピングに基づくアップリンク制御チャネルリソース上で、ダウンリンクのデータ送信に対するＡＣＫ／ＮＡＣＫ情報を送る。
【００７０】
図９は、それぞれ、図１、２および７中の基地局１０２、２１０または７０６のような基地局における、本開示にしたがった方法９００を図示しているフローチャート９００である。動作９０１において、基地局は、アップリンク制御チャネルリソース上で、（ユーザ機器１１６、２５０または７０１のような）ユーザ機器（ＵＥ）からの、ダウンリンクのデータ送信を肯定応答するＡＣＫ／ＮＡＣＫ情報を受信する。動作９０２において、基地局は、ＵＥのコンフィギュレーションに対応するアップリンク制御チャネルリソースの第１のマッピングに基づいて、ＡＣＫ／ＮＡＣＫ情報からＡＣＫ／ＮＡＣＫビットを決定する。第１のマッピングは、単一のコンポーネントキャリア上での、ダウンリンクのデータ送信に対するフォールバックコンフィギュレーションを含み、フォールバックコンフィギュレーションは、ＡＣＫ／ＮＡＣＫビットへの、アップリンク制御チャネルリソースの第２のマッピングにおいて、単一のコンポーネントキャリア上での、ダウンリンクのデータ送信のためのコンフィギュレーションにマッチする。
【００７１】
動作９０３において、基地局は、ダウンリンクのコンポーネントキャリアの第２のコンフィギュレーションに対する上位レイヤコマンドを送信する。動作９０４において、基地局は、上位レイヤコマンドの送信の後の予め定められた期間の間、単一のコンポーネントキャリア上でのみの、ＵＥへの、ダウンリンクのデータ送信をスケジューリングする。動作９０５において、基地局は、予め定められた期間の間、フォールバックコンフィギュレーションに対応するアップリンク制御チャネルリソース上で、ＡＣＫ／ＮＡＣＫビットを受信する。動作９０７において、基地局は、コンポーネントキャリアの第２のコンフィギュレーション上でダウンリンクデータを送信する。そして、動作９０７において、基地局は、予め定められた期間の後、第２のマッピングに対応するアップリンク制御チャネルリソース上でＡＣＫ／ＮＡＣＫビットを受信する。
【００７２】
図１０は、装置１０００を図示しており、この装置１０００内で、さまざまな開示した実施形態を実現してもよい。特に、装置１０００は、図３中で図示されているｅノードＢ３０５のようなｅノードＢの少なくとも一部分、および／または、図３中で図示されているＵＥ３０１のようなユーザ機器の少なくとも一部分、および／または、図２中で描写されている送信機システム２１０および受信機システム２５０のような送信機システムまたは受信機システムの少なくとも一部分を備えていてもよい。装置１０００は、ワイヤレスネットワーク内に存在することができ、例えば、１つ以上の受信機および／または適切な受信およびデコーディング回路（例えば、アンテナ、トランシーバ、復調器およびこれらに類するもの）を通して到来データを受信できる。装置１０００はまた、例えば、１つ以上の送信機ならびに／あるいは適切なエンコーディングおよび送信回路（例えば、アンテナ、トランシーバ、変調器およびこれらに類するもの）を通して送出データを送信できる。付加的に、または、代替的に、装置１０００は、ワイヤードネットワーク内に存在していてもよい。
【００７３】
図１０は、装置１０００がメモリ１００２を備えることができることをさらに図示している。メモリ１００２は、信号調整、解析およびこれらに類するもののような１つ以上の動作を実行するための命令を保持できる。付加的に、図１０の装置１０００は、プロセッサ１００４を備えていてもよく、プロセッサ１００４は、メモリ１００２中に記憶されている命令および／または別のデバイスから受信した命令を実行できる。命令は、例えば、装置１０００または関連する通信装置を構成または動作させることに関連付けることができる。図１０中で描写されているメモリ１００２を単一ブロックとして示しているが、別個の物理および／または論理ユニットを構成する２つ以上の別個メモリを含んでいてもよいことに留意すべきである。加えて、メモリは、プロセッサ１００４に通信可能に接続されている間、装置１０００の完全に外に、または、部分的に外に存在していてもよい。基地局１０２、２１０または７０６およびＵＥ１１６、２５０または７０１のような、１つ以上のコンポーネントが、メモリ１００２のようなメモリ内に存在できることも理解すべきである。
【００７４】
ここで説明し、開示した実施形態に関連して記述したメモリは、揮発性メモリまたは不揮発性メモリのいずれかとすることができ、あるいは、揮発性メモリおよび不揮発性メモリの双方を含むことができることを正しく認識するだろう。一例として、そして限定ではなく、不揮発性メモリは、リードオンリーメモリ（ＲＯＭ）、プログラム可能なＲＯＭ（ＰＲＯＭ）、電気的にプログラム可能なＲＯＭ（ＥＰＲＯＭ）、電気的に消去可能なＲＯＭ（ＥＥＰＲＯＭ）、またはフラッシュメモリ（登録商標）を含むことができる。揮発性メモリは、ランダムアクセスメモリ（ＲＡＭ）を含むことができ、これは外的キャッシュメモリとして機能する。例示のために、そして限定ではなく、ＲＡＭは、シンクロナス型ＲＡＭ（ＳＲＡＭ）、ダイナミックＲＡＭ（ＤＲＡＭ）、シンクロナス型ＤＲＡＭ（ＳＤＲＡＭ）、二重データレートＳＤＲＡＭ（ＤＤＲ ＳＤＲＡＭ）、拡張型ＳＤＲＡＭ（ＥＳＤＲＡＭ）、シンクリンクＲＡＭ（ＳＬＤＲＡＭ）およびダイレクトラムバスＲＡＭ（ＤＲＲＡＭ）のような多くの形態で利用可能である。
【００７５】
図１０の装置１０００は、ユーザ機器すなわち移動体デバイスとして使用でき、そして、例えば、ＳＤカード、ネットワークカード、ワイヤレスネットワークカード、（ラップトップ、デスクトップ、パーソナルデジタルアシスタント ＰＤＡを含む）コンピュータ、移動電話機、スマートフォン、またはネットワークにアクセスするために利用できる他の何らかの適した端末のようなモジュールとすることができることにも留意すべきである。ユーザ機器は、（示されていない）アクセスコンポーネントとしてネットワークにアクセスする。１つの例では、ユーザ機器とアクセスコンポーネントとの間の接続は、実際にはワイヤレスであってもよく、この接続では、アクセスコンポーネントは基地局であってもよく、ユーザ機器はワイヤレス端末である。例えば、端末および基地局は、何らかの適したワイヤレスプロトコルによって通信してもよく、このワイヤレスプロトコルは、時分割多元接続（ＴＤＭＡ）、コード分割多元接続（ＣＤＭＡ）、周波数分割多元接続（ＦＤＭＡ）、直交周波数分割多重（ＯＦＤＭ）、フラッシュＯＦＤＭ、直交周波数分割多元接続（ＯＦＤＭＡ）または他の何らかの適したプロトコルを含むが、これらに限定されない。
【００７６】
アクセスコンポーネントは、ワイヤードネットワークまたはワイヤレスネットワークに関係するアクセスノードとすることができる。そのため、アクセスコンポーネントは、例えば、ルータ、スイッチ、およびこれらに類するものとすることができる。アクセスコンポーネントは、他のネットワークノードと通信するための、１つ以上のインターフェース、例えば、通信モジュールを備えることができる。付加的に、アクセスコンポーネントは、セルラタイプネットワークにおける基地局（すなわちワイヤレスアクセスポイント）とすることができ、ワイヤレスカバレッジエリアを複数の加入者に提供するために基地局（すなわちワイヤレスアクセスポイント）を利用する。このような基地局（すなわちワイヤレスアクセスポイント）は、１つ以上のセルラ電話機および／または他のワイヤレス端末に、隣接エリアのカバレッジを提供するように配置できる。
【００７７】
ここで記述した実施形態および特徴は、ハードウェア、ソフトウェア、ファームウェアまたはそれらの任意の組み合わせによって実現してもよいことを理解すべきである。ここで記述したさまざまな実施形態は、方法またはプロセスの一般的状況において記述されており、この方法またはプロセスは、ネットワーク化環境におけるコンピュータによって実行される、プログラムコードのようなコンピュータ実行可能な命令を含むコンピュータ読み取り可能媒体中で具現化されるコンピュータプログラムプロダクトによって、１つの実施形態において実現されてもよい。先に述べたように、メモリおよび／またはコンピュータ読み取り可能媒体は、取り外し可能および取り外し不可能な記憶デバイスを含んでいてもよく、取り外し可能および取り外し不可能な記憶デバイスは、リードオンリーメモリ（ＲＯＭ）、ランダムアクセスメモリ（ＲＡＭ）、コンパクトディスク（ＣＤ）、デジタル揮発性ディスク（ＤＶＤ）、およびこれらに類するものを含んでいてもよいが、これらに限定されない。ソフトウェアで実現されたとき、機能は、１つ以上の命令またはコードとしてコンピュータ読み取り可能媒体上に記憶されてもよく、あるいは、１つ以上の命令またはコードとしてコンピュータ読み取り可能媒体上に送信されてもよい。コンピュータ読み取り可能媒体は、１つの場所から別の場所へのコンピュータプログラムの転送を促進する何らかの媒体を含むコンピュータ記憶媒体および通信媒体の双方を含む。記憶媒体は、汎用コンピュータまたは特殊目的コンピュータによってアクセスできる何らかの利用可能な媒体であってもよい。例示によると、このようなコンピュータ読み取り可能媒体は、ＲＡＭ、ＲＯＭ、ＥＥＰＲＯＭ、ＣＤ−ＲＯＭまたは他の光ディスク記憶デバイス、磁気ディスク記憶デバイス、または他の磁気記憶デバイス、あるいは命令またはデータ構成の形態で所望のプログラムコード手段を伝送または記憶するために使用でき、汎用または特殊目的コンピュータあるいは汎用または特殊目的プロセッサによってアクセスできる他の何らかの媒体を含むことができるが、これらに限定されない。
【００７８】
また、あらゆる接続は、コンピュータ読み取り可能媒体と適切に呼ばれている。例えば、ソフトウェアが、ウェブサイトから、サーバから、あるいは、同軸ケーブル、ファイバ光ケーブル、ツイストペア、デジタル加入者線（ＤＳＬ）を使用している他の遠隔ソースから送信された場合、同軸ケーブル、ファイバ光ケーブル、ツイストペアまたはＤＳＬは、媒体の定義に含まれる。ここで使用したようなディスク（ｄｉｓｋおよびｄｉｓｃ）は、コンパクトディスク（ＣＤ）、レーザディスク、光ディスク、デジタル汎用ディスク（ＤＶＤ）、フロッピー（登録商標）ディスクおよびブルーレイ（登録商標）ディスクを含むが、一般的に、ディスク（ｄｉｓｋ）は、データを磁気的に再生する一方で、ディスク（ｄｉｓｃ）はデータをレーザによって光学的に再生する。先のものを組み合わせたものもまた、コンピュータ読み取り可能媒体の範囲内に含められるべきである。
【００７９】
一般的に、プログラムモジュールは、特定のタスクを実行する、または、特定の抽象データ型を実現する、ルーチン、プログラム、オブジェクト、コンポーネント、データ構成等を含んでいてもよい。データ構成およびプログラムモジュールに関係するコンピュータ実行可能な命令は、ここで開示した方法のステップを実行するためのプログラムコードの例を表現する。このような実行可能な命令または関係するデータ構造の特定のシーケンスは、このようなステップまたはプロセス中で記述した機能を実現する対応する動作の例を表現する。
【００８０】
ここで開示した態様に関連して記述した、さまざまな例示的な論理、論理ブロック、モジュールおよび回路は、汎用プロセッサ、デジタル信号プロセッサ（ＤＳＰ）、特定用途向け集積回路（ＡＳＩＣ）、フィールドプログラム可能ゲートアレイ信号（ＦＰＧＡ）または他のプログラム可能論理デバイス、ディスクリートゲートまたはトランジスタ論理、ディスクリートハードウェアコンポーネント、あるいは、ここで記述した機能を実行するために設計されたこれらの何らかの組み合わせで、実現あるいは実行されてもよい。汎用プロセッサはマイクロプロセッサであってもよいが、代替実施形態では、プロセッサは、何らかの従来のプロセッサ、制御装置、マイクロ制御装置、または状態機械であってもよい。プロセッサはまた、コンピューティングデバイスの組み合わせとして、例えば、ＤＳＰとマイクロプロセッサの組み合わせとして、複数のマイクロプロセッサとして、ＤＳＰコアに関連した１つ以上のマイクロプロセッサとして、あるいは、このような他の何らかの構成として実現してもよい。付加的に、少なくとも１つのプロセッサは、上述したステップおよび／またはアクションのうちの１つ以上を実行するように動作可能な１つ以上のモジュールを備えていてもよい。
【００８１】
ソフトウェアインプリメンテーションでは、ここで記述した技術は、ここで記述した機能を実行するモジュール（例えば、手順、機能等）により実現してもよい。ソフトウェアコードはメモリユニット中に記憶され、プロセッサにより実行されてもよい。メモリユニットは、技術的に知られているようなさまざまな手段を通してプロセッサに通信可能に結合できるケースでは、プロセッサ内および／またはプロセッサ外で実現してもよい。さらに、少なくとも１つのプロセッサは、ここ記述した機能を実行するように動作可能な１つ以上のモジュールを含んでいてもよい。
【００８２】
ここで記述する技術は、ＣＤＭＡ、ＴＤＭＡ、ＦＤＭＡ、ＯＦＤＭＡ、ＳＣ−ＦＤＭＡ、および、他のシステムのような、さまざまなワイヤレス通信システムに対して使用されてもよい。“システム”および“ネットワーク”という用語は、互換性があるように使用されることが多い。ＣＤＭＡシステムは、ユニバーサル地上無線アクセス（ＵＴＲＡ）、ｃｄｍａ２０００等のような、無線技術を実現してもよい。ＵＴＲＡは、ワイドバンドＣＤＭＡ（Ｗ−ＣＤＭＡ）と、ＣＤＭＡの他の変形とを含んでいる。さらに、ｃｄｍａ２０００は、ＩＳ−２０００、ＩＳ−９５およびＩＳ−８５６標準規格をカバーしている。ＴＤＭＡシステムは、グローバルシステムフォーモバイル通信（ＧＳＭ）（登録商標）のような無線技術を実現してもよい。ＯＦＤＭＡシステムは、進化したＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ）、ＩＥＥＥ８０２．２０、フラッシュ−ＯＦＤＭ等のような無線技術を実現してもよい。ＵＴＲＡおよびＥ−ＵＴＲＡは、ユニバーサル移動体電気通信システム（ＵＭＴＳ）の一部である。３ＧＰＰロングタームエボリューション（ＬＴＥ）は、ダウンリンク上ではＯＦＤＭＡを、アップリンク上ではＳＣ−ＦＤＭＡを用いるＥ−ＵＴＲＡを使用する、ＵＭＴＳのリリースである。ＵＴＲＡ、Ｅ−ＵＴＲＡ、ＵＭＴＳ、ＬＴＥおよびＧＳＭとは、“第三世代パートナーシッププロジェクト”（３ＧＰＰ）という名の組織による文書中に記述されている。さらに、ｃｄｍａ２０００とＵＭＢは、“第三世代パートナーシッププロジェクト２”（３ＧＰＰ２）という名の組織による文書中に記述されている。さらに、このようなワイヤレス通信システムは、対でないライセンスされていないスペクトル、８０２．ｘｘワイヤレスＬＡＮ、ブルートゥース（登録商標）、および、他の何らかの短距離または長距離のワイヤレス通信技術を使用することが多い、ピアツーピア（例えば、ユーザ機器対ユーザ機器）アドホックネットワークシステムをさらに含んでもよい。
【００８３】
単一搬送波変調および周波数領域等化を利用する単一搬送波周波数分割多元接続（ＳＣ−ＦＤＭＡ）は、開示した実施形態とともに利用できる技術である。ＳＣ−ＦＤＭＡは、ＯＦＤＭＡシステム性能および複雑性と、類似した性能を持ち、実質的に全体的に類似した複雑性を持つ。ＳＣ−ＦＤＭＡ信号は、この固有の単一搬送波構造であるために、より低いピーク対平均電力比（ＰＡＰＲ）を有する。送信電力効率の点で、より低いＰＡＰＲがユーザ機器に利益をもたらすアップリンク通信では、ＳＣ−ＦＤＭＡを利用できる。
【００８４】
さらに、ここで記述したさまざまな態様または特徴は、標準プログラミングおよび／またはエンジニアリング技術を使用している、方法、装置または製造物として実現してもよい。ここで使用する“製造物”という用語は、何らかのコンピュータ読み取り可能デバイス、キャリアまたは媒体からアクセス可能なコンピュータプログラムを含むことを意図している。例えば、コンピュータ読み取り可能媒体は、磁気記憶デバイス（例えば、ハードディスク、フロッピーディスク、磁気ストライプ等）、光ディスク（例えば、コンパクトディスク（ＣＤ）、デジタル汎用性ディスク（ＤＶＤ）等）、スマートカード、およびフラッシュメモリデバイス（例えば、ＥＰＲＯＭ、カード、スティック、キードライブ等）を含むことができるが、これらに限定されない。付加的に、ここで記述したさまざまな記憶媒体は、情報を記憶するための、１つ以上のデバイスおよび／または他の機械読み取り可能媒体を表現できる。“機械読み取り可能媒体”という用語は、命令および／またはデータを、記憶、含有、および／または伝えることができる媒体を含むことができるが、これらに限定されない。付加的に、コンピュータプログラムプロダクトは、ここで記述した機能をコンピュータに実行させるように動作可能な、１つ以上の命令またはコードを持つコンピュータ読み取り可能媒体を含んでいてもよい。
【００８５】
さらに、ここに開示した態様と関連して記述した方法またはアルゴリズムの、ステップおよび／またはアクションは、直接、ハードウェアで、プロセッサにより実行されるソフトウェアモジュールで、あるいは、２つのものを組み合わせたもので具現化してもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーブバルディスク、ＣＤ−ＲＯＭ、あるいは技術的に知られている他の何らかの形態の記憶媒体中に存在していてもよい。例示的な記憶媒体は、プロセッサが記憶媒体から情報を読み取り、記憶媒体に情報を書き込むことができるようにプロセッサに結合させてもよい。代替実施形態では、記憶媒体はプロセッサと一体化してもよい。さらに、いくつかの態様では、プロセッサおよび記憶媒体は、ＡＳＩＣ中に存在していてもよい。付加的に、ＡＳＩＣは、ユーザ機器中に存在していてもよい。代替実施形態では、プロセッサおよび記憶媒体は、ユーザ機器中にディスクリートコンポーネントとして存在していてもよい。付加的に、いくつかの態様では、方法またはアルゴリズムのステップおよび／またはアクションは、コンピュータプログラムプロダクトの中に組み込まれていてもよい、機械読み取り可能媒体および／またはコンピュータ読み取り可能媒体上で、１つまたは任意の組み合わせ、あるいは、１つまたは任意のセットのコードおよび／または命令として存在していてもよい。
【００８６】
先の開示は、例示的な実施形態を論じているが、添付した特許請求の範囲によって規定されているような、記述した実施形態の範囲から逸脱することなく、さまざまな変更および修正をここで行うことができることに留意すべきである。したがって、記述した実施形態は、添付した特許請求の範囲の範囲内にある、すべてのこのような変更、修正およびバリエーションを含むことを意図している。さらに、記述した実施形態のエレメントは単数形で記述され、または、特許請求の範囲に記載されているが、単数形に対する限定が明示的に示されない限り、複数形を意図している。さらに、そうではないと述べられていない限り、任意の実施形態のすべてまたは一部が、他の何らかの実施形態のすべてまたは一部とともに利用されてもよい。
【００８７】
さらに、“含む”という用語が詳細な説明または特許請求の範囲のいずれかで使用される限り、このような用語は、請求項中で移行語として用いられるときに“具備する”が解釈されるように、“具備する”という用語に類似した態様で包括的であることが意図されている。さらには、詳細な説明または特許請求の範囲のいずれかにおいて使用した“または”という用語は、排他的な“または”というよりむしろ、包含的な“または”を意味することを意図している。すなわち、特定の明記がない限り、または、文脈から明らかでない限り、”ＸがＡまたはＢを用いる”というフレーズは、自然な包含的順列のうちのいずれかを意味することを意図している。すなわち、“ＸがＡまたはＢを用いる”というフレーズは、以下の事例：ＸがＡを用いる；ＸがＢを用いる；または、ＸがＡおよびＢの双方とも用いる、のうちのいずれのものによって満たされる。加えて、本出願および添付した特許請求の範囲中で使用しているような冠詞“ａ”および“ａｎ”は、特定の明記がない限り、または、単数形に向けられている文脈から明らかでない限り、一般的に、“１つ以上”を意味すると解釈すべきである。
以下に、本願出願の当初の特許請求の範囲に記載された発明を付記する。
［１］
ワイヤレス通信の方法において、
マルチキャリアユーザ機器（ＵＥ）に対して構成されている複数のコンポーネントキャリア（ＣＣ）の第１のコンフィギュレーション上での、ダウンリンクのデータ送信を肯定応答するためのＡＣＫ／ＮＡＣＫの第１のビット数を決定することと、
前記ＡＣＫ／ＮＡＣＫの第１のビット数に基づいて、アップリンク制御チャネルリソースへの、ＡＣＫ／ＮＡＣＫビットの第１のマッピングを選択し、前記第１のマッピングは、単一のコンポーネントキャリア上での、ダウンリンクのデータ送信に対するフォールバックコンフィギュレーションを含み、前記フォールバックコンフィギュレーションは、アップリンク制御チャネルリソースへの、ＡＣＫ／ＮＡＣＫビットの第２のマッピングにおいて、ダウンリンクのデータ送信のための単一のコンポーネントキャリアコンフィギュレーションにマッチすることと、
前記第１のマッピングに基づいて、前記ＣＣの第１のコンフィギュレーション上での、前記ダウンリンクのデータ送信を肯定応答するためのアップリンク制御チャネルリソースを決定することと、
前記第１のマッピングに基づくアップリンク制御チャネルリソース上で、前記ダウンリンクのデータ送信に対するＡＣＫ／ＮＡＣＫ情報を送ることとを含む方法。
［２］
前記コンポーネントキャリアの第１のコンフィギュレーションからコンポーネントキャリアの第２のコンフィギュレーションに変更するための上位レイヤコマンドを受信することと、
前記上位レイヤコマンドの受信の後の期間の間、単一のコンポーネントキャリア上でのみの、ダウンリンクのデータ送信を受信することとをさらに含む上記［１］記載の方法。
［３］
前記上位レイヤコマンドの受信の後、前記第１のマッピングの前記フォールバックコンフィギュレーションに基づいて、ダウンリンクのデータ送信を肯定応答するためのアップリンク制御チャネルリソースを決定することと、
前記第１のマッピングの前記フォールバックコンフィギュレーションに基づくアップリンク制御チャネルリソース上で、前記単一のコンポーネントキャリア上での、前記ダウンリンクのデータ送信に対するＡＣＫ／ＮＡＣＫ情報を送ることとをさらに含む上記［２］記載の方法。
［４］
前記コンポーネントキャリア（ＣＣ）の第２のコンフィギュレーション上での、ダウンリンクのデータ送信を肯定応答するためのＡＣＫ／ＮＡＣＫの第２のビット数を決定することと、
前記ＡＣＫ／ＮＡＣＫの第２のビット数に基づいて、アップリンク制御チャネルリソースへの、ＡＣＫ／ＮＡＣＫビットの第３のマッピングを選択することと、
前記第３のマッピングのフォールバックコンフィギュレーションに基づくアップリンク制御チャネルリソース上で、前記単一のコンポーネントキャリア上での、前記ダウンリンクのデータ送信に対するＡＣＫ／ＮＡＣＫ情報を送ることとをさらに含む上記［２］記載の方法。
［５］
前記ＣＣの第１のコンフィギュレーションにおける少なくとも１つのキャリアのアクティブ化ステータスを変更するための上位レイヤコマンドを受信することと、
前記上位レイヤコマンドの受信の後の期間の間、単一のコンポーネントキャリア上でのみの、ダウンリンクのデータ送信を受信することとをさらに含む上記［１］記載の方法。
［６］
前記上位レイヤコマンドの受信の後、前記第１のマッピングの前記フォールバックコンフィギュレーションに基づいて、ダウンリンクのデータ送信を肯定応答するためのアップリンク制御チャネルリソースを決定することと、
前記第１のマッピングの前記フォールバックコンフィギュレーションに基づくアップリンク制御チャネルリソース上で、前記単一のコンポーネントキャリア上での、前記ダウンリンクのデータ送信に対するＡＣＫ／ＮＡＣＫ情報を送ることとをさらに含む上記［５］記載の方法。
［７］
複数のアクティブ化されたコンポーネントキャリア上での、ダウンリンクのデータ送信を肯定応答するためのＡＣＫ／ＮＡＣＫの第２のビット数を決定することと、
前記ＡＣＫ／ＮＡＣＫの第２のビット数に基づいて、アップリンク制御チャネルリソースへの、ＡＣＫ／ＮＡＣＫビットの第３のマッピングを選択することと、
前記第３のマッピングのフォールバックコンフィギュレーションに基づくアップリンク制御チャネルリソース上で、前記単一のコンポーネントキャリア上での、前記ダウンリンクのデータ送信に対するＡＣＫ／ＮＡＣＫ情報を送ることと、
前記第３のマッピングに基づいて、前記複数のアクティブ化されたＣＣ上での、前記ダウンリンクのデータ送信を肯定応答するためのアップリンク制御チャネルリソースを決定することと、
前記第３のマッピングに基づく前記アップリンク制御チャネルリソース上で、前記複数のアクティブ化されたＣＣ上での、前記ダウンリンクのデータ送信に対するＡＣＫ／ＮＡＣＫ情報を送ることとをさらに含む上記［５］記載の方法。
［８］
前記ＣＣの第１のコンフィギュレーションにおける少なくとも１つのキャリアの送信モードを変更するための上位レイヤコマンドを受信することと、
前記上位レイヤコマンドの受信の後の期間の間、単一のコンポーネントキャリア上でのみの、ダウンリンクのデータ送信を受信することとをさらに含む上記［１］記載の方法。
［９］
前記上位レイヤコマンドの受信の後、前記第１のマッピングの前記フォールバックコンフィギュレーションに基づいて、ダウンリンクのデータ送信を肯定応答するためのアップリンク制御チャネルリソースを決定することと、
前記第１のマッピングの前記フォールバックコンフィギュレーションに基づくアップリンク制御チャネルリソース上で、前記単一のコンポーネントキャリア上での、前記ダウンリンクのデータ送信に対するＡＣＫ／ＮＡＣＫ情報を送ることとをさらに含む上記［８］記載の方法。
［１０］
第２の送信モードにおいて前記少なくとも１つのキャリアを含む複数の構成されているＣＣ上での、ダウンリンクのデータ送信を肯定応答するためのＡＣＫ／ＮＡＣＫの第２のビット数を決定することと、
前記ＡＣＫ／ＮＡＣＫの第２のビット数に基づいて、アップリンク制御チャネルリソースへの、ＡＣＫ／ＮＡＣＫビットの第３のマッピングを選択することと、
前記第３のマッピングのフォールバックコンフィギュレーションに基づくアップリンク制御チャネルリソース上で、前記単一のコンポーネントキャリア上での、前記ダウンリンクのデータ送信に対するＡＣＫ／ＮＡＣＫ情報を送ることと、
前記第３のマッピングに基づいて、前記複数の構成されているＣＣ上での、前記ダウンリンクのデータ送信を肯定応答するためのアップリンク制御チャネルリソースを決定することと、
前記第３のマッピングに基づく前記アップリンク制御チャネルリソース上で、前記ダウンリンクのデータ送信に対するＡＣＫ／ＮＡＣＫ情報を送ることとをさらに含む上記［８］記載の方法。
［１１］
前記ＡＣＫ／ＮＡＣＫの第１のビット数は、前記複数のコンポーネントキャリア上で構成されているコードワードの数と、サブフレームにおける前記複数のコンポーネントキャリアの検出されたＤＴＸステータスとに対応する上記［１］記載の方法。
［１２］
前記ＡＣＫ／ＮＡＣＫ情報は、前記構成されているコードワードの数と、前記サブフレームにおける前記検出されたＤＴＸステータスとに対応している多数のアップリンク制御チャネルリソースにマッピングされた２ビットの情報によって表現される上記［１１］記載の方法。
［１３］
前記複数のコンポーネントキャリアはＮ個のコンポーネントキャリアからなり、前記ＡＣＫ／ＮＡＣＫのビット数は、Ｎ以上、かつ、２Ｎ以下である上記［１］記載の方法。
［１４］
前記第３のマッピングに基づいて、前記コンポーネントキャリアの第２のコンフィギュレーション上での、前記ダウンリンクのデータ送信を肯定応答するためのアップリンク制御チャネルリソースを決定することと、
前記第３のマッピングに基づく前記アップリンク制御チャネルリソース上で、前記ダウンリンクのデータ送信に対するＡＣＫ／ＮＡＣＫ情報を送ることとをさらに含む上記［４］記載の方法。
［１５］
前記ＵＥは、チャネル選択を伴うアップリンク制御チャネルフォーマット用に構成され、
前記方法は、前記アップリンク制御チャネルフォーマットに基づいて、前記アップリンク制御チャネルリソースの第１のマッピングを選択することをさらに含む上記［１］記載の方法。
［１６］
基地局における方法において、
アップリンク制御チャネルリソース上で、ユーザ機器（ＵＥ）からの、ダウンリンクのデータ送信を肯定応答するＡＣＫ／ＮＡＣＫ情報を、前記基地局において受信することと、
前記ＵＥのコンフィギュレーションに対応するアップリンク制御チャネルリソースの第１のマッピングに基づいて、前記ＡＣＫ／ＮＡＣＫ情報からＡＣＫ／ＮＡＣＫビットを決定し、前記第１のマッピングは、単一のコンポーネントキャリア上での、ダウンリンクのデータ送信に対するフォールバックコンフィギュレーションを含み、前記フォールバックコンフィギュレーションは、ＡＣＫ／ＮＡＣＫビットへの、アップリンク制御チャネルリソースの第２のマッピングにおいて、前記単一のコンポーネントキャリア上での、ダウンリンクのデータ送信のためのコンフィギュレーションにマッチし、
ダウンリンクのコンポーネントキャリアの第２のコンフィギュレーションに対する上位レイヤコマンドを送信することと、
前記上位レイヤコマンドの送信の後の予め定められた期間の間、単一のコンポーネントキャリア上でのみの、前記ＵＥへの、ダウンリンクのデータ送信をスケジューリングすることとを含む方法。
［１７］
前記上位レイヤコマンドは、再コンフィギュレーションコマンドと、アクティブ化コマンドと、非アクティブ化コマンドと、送信モードを変更するためのコマンドと、のうちの１つである上記［１６］記載の方法。
［１８］
前記予め定められた期間の間、前記フォールバックコンフィギュレーションに対応するアップリンク制御チャネルリソース上で、ＡＣＫ／ＮＡＣＫビットを受信することと、
前記コンポーネントキャリアの第２のコンフィギュレーション上でダウンリンクデータを送信することと、
前記予め定められた期間の後、前記第２のマッピングに対応するアップリンク制御チャネルリソース上でＡＣＫ／ＮＡＣＫビットを受信することとをさらに含む上記［１６］記載の方法。
［１９］
装置において、
プロセッサと、
メモリとを具備し、
前記メモリは、プロセッサ実行可能な命令を具備し、
前記プロセッサによって実行されるときに、
マルチキャリアユーザ機器（ＵＥ）に対して構成されている複数のコンポーネントキャリア（ＣＣ）の第１のコンフィギュレーション上での、ダウンリンクのデータ送信を肯定応答するためのＡＣＫ／ＮＡＣＫの第１のビット数を決定し、
前記ＡＣＫ／ＮＡＣＫの第１のビット数に基づいて、アップリンク制御チャネルリソースへの、ＡＣＫ／ＮＡＣＫビットの第１のマッピングを選択し、前記第１のマッピングは、単一のコンポーネントキャリア上での、ダウンリンクのデータ送信に対するフォールバックコンフィギュレーションを含み、前記フォールバックコンフィギュレーションは、アップリンク制御チャネルリソースへの、ＡＣＫ／ＮＡＣＫビットの第２のマッピングにおいて、ダウンリンクのデータ送信のための単一のコンポーネントキャリアコンフィギュレーションにマッチし、
前記第１のマッピングに基づいて、前記ＣＣの第１のコンフィギュレーション上での、前記ダウンリンクのデータ送信を肯定応答するためのアップリンク制御チャネルリソースを決定し、
前記第１のマッピングに基づくアップリンク制御チャネルリソース上で、前記ダウンリンクのデータ送信に対するＡＣＫ／ＮＡＣＫ情報を送るように、前記マルチキャリアＵＥとして前記装置を構成する装置。
［２０］
前記装置は、
前記コンポーネントキャリアの第１のコンフィギュレーションからコンポーネントキャリアの第２のコンフィギュレーションに変更するための上位レイヤコマンドを受信し、
前記上位レイヤコマンドの受信の後の予め定められた期間の間、単一のコンポーネントキャリア上でのみの、ダウンリンクのデータ送信を受信するようにさらに構成されている上記［１９］記載の装置。
［２１］
前記装置は、
前記上位レイヤコマンドの受信の後、前記第１のマッピングの前記フォールバックコンフィギュレーションに基づいて、ダウンリンクのデータ送信を肯定応答するためのアップリンク制御チャネルリソースを決定し、
前記第１のマッピングの前記フォールバックコンフィギュレーションに基づくアップリンク制御チャネルリソース上で、前記単一のコンポーネントキャリア上での、前記ダウンリンクのデータ送信に対するＡＣＫ／ＮＡＣＫ情報を送るようにさらに構成されている上記［２０］記載の装置。
［２２］
前記装置は、
前記コンポーネントキャリア（ＣＣ）の第２のコンフィギュレーション上での、ダウンリンクのデータ送信を肯定応答するためのＡＣＫ／ＮＡＣＫの第２のビット数を決定し、
前記ＡＣＫ／ＮＡＣＫの第２のビット数に基づいて、アップリンク制御チャネルリソースへの、ＡＣＫ／ＮＡＣＫビットの第３のマッピングを選択し、
前記第３のマッピングのフォールバックコンフィギュレーションに基づくアップリンク制御チャネルリソース上で、前記単一のコンポーネントキャリア上での、前記ダウンリンクのデータ送信に対するＡＣＫ／ＮＡＣＫ情報を送り、
前記第３のマッピングに基づいて、前記コンポーネントキャリアの第２のコンフィギュレーション上での、前記ダウンリンクのデータ送信を肯定応答するためのアップリンク制御チャネルリソースを決定し、
前記第３のマッピングに基づく前記アップリンク制御チャネルリソース上で、前記ダウンリンクのデータ送信に対するＡＣＫ／ＮＡＣＫ情報を送るようにさらに構成されている上記［２０］記載の装置。
［２３］
前記装置は、
前記ＣＣの第１のコンフィギュレーションにおける少なくとも１つのキャリアのアクティブ化ステータスを変更するための上位レイヤコマンドを受信し、
前記上位レイヤコマンドの受信の後の期間の間、単一のコンポーネントキャリア上でのみの、ダウンリンクのデータ送信を受信するようにさらに構成されている上記［１９］記載の装置。
［２４］
前記装置は、
前記上位レイヤコマンドの受信の後、前記第１のマッピングの前記フォールバックコンフィギュレーションに基づいて、ダウンリンクのデータ送信を肯定応答するためのアップリンク制御チャネルリソースを決定し、
前記第１のマッピングの前記フォールバックコンフィギュレーションに基づくアップリンク制御チャネルリソース上で、前記単一のコンポーネントキャリア上での、前記ダウンリンクのデータ送信に対するＡＣＫ／ＮＡＣＫ情報を送るようにさらに構成されている上記［２３］記載の装置。
［２５］
前記装置は、
複数のアクティブ化されたコンポーネントキャリア上での、ダウンリンクのデータ送信を肯定応答するためのＡＣＫ／ＮＡＣＫの第２のビット数を決定し、
前記ＡＣＫ／ＮＡＣＫの第２のビット数に基づいて、アップリンク制御チャネルリソースへの、ＡＣＫ／ＮＡＣＫビットの第３のマッピングを選択し、
前記第３のマッピングのフォールバックコンフィギュレーションに基づくアップリンク制御チャネルリソース上で、前記単一のコンポーネントキャリア上での、前記ダウンリンクのデータ送信に対するＡＣＫ／ＮＡＣＫ情報を送り、
前記第３のマッピングに基づいて、前記複数のアクティブ化されたＣＣ上での、前記ダウンリンクのデータ送信を肯定応答するためのアップリンク制御チャネルリソースを決定し、
前記第３のマッピングに基づく前記アップリンク制御チャネルリソース上で、前記ダウンリンクのデータ送信に対するＡＣＫ／ＮＡＣＫ情報を送るようにさらに構成されている上記［２３］記載の装置。
［２６］
前記装置は、
前記ＣＣの第１のコンフィギュレーションにおける少なくとも１つのキャリアの送信モードを変更するための上位レイヤコマンドを受信し、
前記上位レイヤコマンドの受信の後の予め定められた期間の間、単一のコンポーネントキャリア上でのみの、ダウンリンクのデータ送信を受信するようにさらに構成されている上記［１９］記載の装置。
［２７］
前記装置は、
前記上位レイヤコマンドの受信の後、前記第１のマッピングの前記フォールバックコンフィギュレーションに基づいて、ダウンリンクのデータ送信を肯定応答するためのアップリンク制御チャネルリソースを決定し、
前記第１のマッピングの前記フォールバックコンフィギュレーションに基づくアップリンク制御チャネルリソース上で、前記単一のコンポーネントキャリア上での、前記ダウンリンクのデータ送信に対するＡＣＫ／ＮＡＣＫ情報を送るようにさらに構成されている上記［２６］記載の装置。
［２８］
前記装置は、
第２の送信モードにおいて前記少なくとも１つのキャリアを含む複数の構成されているＣＣ上での、ダウンリンクのデータ送信を肯定応答するためのＡＣＫ／ＮＡＣＫの第２のビット数を決定し、
前記ＡＣＫ／ＮＡＣＫの第２のビット数に基づいて、アップリンク制御チャネルリソースへの、ＡＣＫ／ＮＡＣＫビットの第３のマッピングを選択し、
前記第３のマッピングのフォールバックコンフィギュレーションに基づくアップリンク制御チャネルリソース上で、前記単一のコンポーネントキャリア上での、前記ダウンリンクのデータ送信に対するＡＣＫ／ＮＡＣＫ情報を送り、
前記第３のマッピングに基づいて、前記複数の構成されているＣＣ上での前記ダウンリンクのデータ送信を肯定応答するためのアップリンク制御チャネルリソースを決定し、
前記第３のマッピングに基づく前記アップリンク制御チャネルリソース上で、前記ダウンリンクのデータ送信に対するＡＣＫ／ＮＡＣＫ情報を送るようにさらに構成されている上記［２６］記載の装置。
［２９］
装置において、
プロセッサと、
メモリとを具備し、
前記メモリは、プロセッサ実行可能な命令を具備し、
前記プロセッサによって実行されるときに、
アップリンク制御チャネルリソース上で、ユーザ機器（ＵＥ）からの、ダウンリンクのデータ送信を肯定応答するＡＣＫ／ＮＡＣＫ情報を、基地局において受信し、
前記ＵＥのコンフィギュレーションに対応するアップリンク制御チャネルリソースの第１のマッピングに基づいて、前記ＡＣＫ／ＮＡＣＫ情報からＡＣＫ／ＮＡＣＫビットを決定し、前記第１のマッピングは、単一のコンポーネントキャリア上での、ダウンリンクのデータ送信に対するフォールバックコンフィギュレーションを含み、前記フォールバックコンフィギュレーションは、ＡＣＫ／ＮＡＣＫビットへの、アップリンク制御チャネルリソースの第２のマッピングにおいて、前記単一のコンポーネントキャリア上での、ダウンリンクのデータ送信のためのコンフィギュレーションにマッチし、
ダウンリンクのコンポーネントキャリアの第２のコンフィギュレーションに対する上位レイヤコマンドを送信し、
前記上位レイヤコマンドの送信の後の予め定められた期間の間、単一のコンポーネントキャリア上でのみの、前記ＵＥへの、ダウンリンクのデータ送信をスケジューリングするように前記基地局として前記装置を構成する装置。
［３０］
前記上位レイヤコマンドは、再コンフィギュレーションコマンドと、アクティブ化コマンドと、非アクティブ化コマンドと、送信モードを変更するためのコマンドと、のうちの１つである上記［２９］記載の装置。
［３１］
前記装置は、
前記予め定められた期間の間、前記フォールバックコンフィギュレーションに対応するアップリンク制御チャネルリソース上で、ＡＣＫ／ＮＡＣＫビットを受信し、
前記コンポーネントキャリアの第２のコンフィギュレーション上でダウンリンクデータを送信し、
前記予め定められた期間の後、前記第２のマッピングに対応するアップリンク制御チャネルリソース上でＡＣＫ／ＮＡＣＫビットを受信するようにさらに構成されている上記［３０］記載の装置。
［３２］
製造品において、
マルチキャリアユーザ機器(ＵＥ)に対して構成されている複数のコンポーネントキャリア（ＣＣ）の第１のコンフィギュレーション上での、ダウンリンクのデータ送信を肯定応答するためのＡＣＫ／ＮＡＣＫの第１のビット数を決定し、
前記ＡＣＫ／ＮＡＣＫの第１のビット数に基づいて、アップリンク制御チャネルリソースへの、ＡＣＫ／ＮＡＣＫビットの第１のマッピングを選択し、前記第１のマッピングは、単一のコンポーネントキャリア上での、ダウンリンクのデータ送信に対するフォールバックコンフィギュレーションを含み、前記フォールバックコンフィギュレーションは、アップリンク制御チャネルリソースへの、ＡＣＫ／ＮＡＣＫビットの第２のマッピングにおいて、ダウンリンクのデータ送信のための単一のコンポーネントキャリアコンフィギュレーションにマッチし、
前記第１のマッピングに基づいて、前記ＣＣの第１のコンフィギュレーション上での、前記ダウンリンクのデータ送信を肯定応答するためのアップリンク制御チャネルリソースを決定し、
前記第１のマッピングに基づくアップリンク制御チャネルリソース上で、前記ダウンリンクのデータ送信に対するＡＣＫ／ＮＡＣＫ情報を送るように、前記マルチキャリアＵＥとして機械を構成する命令をその中に有する一時的でない機械読み取り可能媒体を具備する製造品。
［３３］
前記機械は、
前記コンポーネントキャリアの第１のコンフィギュレーションからコンポーネントキャリアの第２のコンフィギュレーションに変更するための上位レイヤコマンドを受信し、
前記上位レイヤコマンドの受信の後の予め定められた期間の間、単一のコンポーネントキャリア上でのみの、ダウンリンクのデータ送信を受信するようにさらに構成されている上記［３２］記載の製造品。
［３４］
前記機械は、
前記上位レイヤコマンドの受信の後、前記第１のマッピングの前記フォールバックコンフィギュレーションに基づいて、ダウンリンクのデータ送信を肯定応答するためのアップリンク制御チャネルリソースを決定し、
前記第１のマッピングの前記フォールバックコンフィギュレーションに基づくアップリンク制御チャネルリソース上で、前記単一のコンポーネントキャリア上での、前記ダウンリンクのデータ送信に対するＡＣＫ／ＮＡＣＫ情報を送るようにさらに構成されている上記［３３］記載の製造品。
［３５］
前記装置は、
前記コンポーネントキャリア（ＣＣ）の第２のコンフィギュレーション上での、ダウンリンクのデータ送信を肯定応答するためのＡＣＫ／ＮＡＣＫの第２のビット数を決定し、
前記ＡＣＫ／ＮＡＣＫの第２のビット数に基づいて、アップリンク制御チャネルリソースへの、ＡＣＫ／ＮＡＣＫビットの第３のマッピングを選択し、
前記第３のマッピングのフォールバックコンフィギュレーションに基づくアップリンク制御チャネルリソース上で、前記単一のコンポーネントキャリア上での、前記ダウンリンクのデータ送信に対するＡＣＫ／ＮＡＣＫ情報を送り、
前記第３のマッピングに基づいて、前記コンポーネントキャリアの第２のコンフィギュレーション上での、前記ダウンリンクのデータ送信を肯定応答するためのアップリンク制御チャネルリソースを決定し、
前記第３のマッピングに基づく前記アップリンク制御チャネルリソース上で、前記ダウンリンクのデータ送信に対するＡＣＫ／ＮＡＣＫ情報を送るようにさらに構成されている上記［３３］記載の製造品。
［３６］
前記機械は、
前記ＣＣの第１のコンフィギュレーションにおける少なくとも１つのキャリアのアクティブ化ステータスを変更するための上位レイヤコマンドを受信し、
前記上位レイヤコマンドの受信の後の予め定められた期間の間、単一のコンポーネントキャリア上でのみの、ダウンリンクのデータ送信を受信するようにさらに構成されている上記［３２］記載の製造品。
［３７］
前記機械は、
前記上位レイヤコマンドの受信の後、前記第１のマッピングの前記フォールバックコンフィギュレーションに基づいて、ダウンリンクのデータ送信を肯定応答するためのアップリンク制御チャネルリソースを決定し、
前記第１のマッピングの前記フォールバックコンフィギュレーションに基づくアップリンク制御チャネルリソース上で、前記単一のコンポーネントキャリア上での、前記ダウンリンクのデータ送信に対するＡＣＫ／ＮＡＣＫ情報を送るようにさらに構成されている上記［３６］記載の製造品。
［３８］
前記機械は、
複数のアクティブ化されたコンポーネントキャリア上での、ダウンリンクのデータ送信を肯定応答するためのＡＣＫ／ＮＡＣＫの第２のビット数を決定し、
前記ＡＣＫ／ＮＡＣＫの第２のビット数に基づいて、アップリンク制御チャネルリソースへの、ＡＣＫ／ＮＡＣＫビットの第３のマッピングを選択し、
前記第３のマッピングのフォールバックコンフィギュレーションに基づくアップリンク制御チャネルリソース上で、前記単一のコンポーネントキャリア上での、前記ダウンリンクのデータ送信に対するＡＣＫ／ＮＡＣＫ情報を送り、
前記第２のマッピングに基づいて、前記複数のアクティブ化されたＣＣ上での、前記ダウンリンクのデータ送信を肯定応答するためのアップリンク制御チャネルリソースを決定し、
前記第３のマッピングに基づく前記アップリンク制御チャネルリソース上で、前記ダウンリンクのデータ送信に対するＡＣＫ／ＮＡＣＫ情報を送るようにさらに構成されている上記［３６］記載の製造品。
［３９］
前記機械は、
前記ＣＣの第１のコンフィギュレーションにおける少なくとも１つのキャリアの送信モードを変更するための上位レイヤコマンドを受信し、
前記上位レイヤコマンドの受信の後の期間の間、単一のコンポーネントキャリア上でのみの、ダウンリンクのデータ送信を受信するようにさらに構成されている上記［３２］記載の製造品。
［４０］
前記機械は、
前記上位レイヤコマンドの受信の後、前記第１のマッピングの前記フォールバックコンフィギュレーションに基づいて、ダウンリンクのデータ送信を肯定応答するためのアップリンク制御チャネルリソースを決定し、
前記第１のマッピングの前記フォールバックコンフィギュレーションに基づくアップリンク制御チャネルリソース上で、前記単一のコンポーネントキャリア上での、前記ダウンリンクのデータ送信に対するＡＣＫ／ＮＡＣＫ情報を送るようにさらに構成されている上記［３９］記載の製造品。
［４１］
前記装置は、
第２の送信モードにおいて少なくとも１つのキャリアを含む複数の構成されているＣＣ上での、ダウンリンクのデータ送信を肯定応答するためのＡＣＫ／ＮＡＣＫの第２のビット数を決定し、
前記ＡＣＫ／ＮＡＣＫの第２のビット数に基づいて、アップリンク制御チャネルリソースへの、ＡＣＫ／ＮＡＣＫビットの第３のマッピングを選択し、
前記第３のマッピングのフォールバックコンフィギュレーションに基づくアップリンク制御チャネルリソース上で、前記単一のコンポーネントキャリア上での前記ダウンリンクのデータ送信に対するＡＣＫ／ＮＡＣＫ情報を送り、
前記第３のマッピングに基づいて、前記複数の構成されているＣＣ上での、前記ダウンリンクのデータ送信を肯定応答するためのアップリンク制御チャネルリソースを決定し、
前記第３のマッピングに基づく前記アップリンク制御チャネルリソース上で、前記ダウンリンクのデータ送信に対するＡＣＫ／ＮＡＣＫ情報を送るようにさらに構成されている上記［３９］記載の製造品。
［４２］
ワイヤレス通信のための装置において、
マルチキャリアユーザ機器（ＵＥ）に対して構成されている複数のコンポーネントキャリア（ＣＣ）の第１のコンフィギュレーション上での、ダウンリンクのデータ送信を肯定応答するためのＡＣＫ／ＮＡＣＫの第１のビット数を決定する手段と、
前記ＡＣＫ／ＮＡＣＫの第１のビット数に基づいて、アップリンク制御チャネルリソースへの、ＡＣＫ／ＮＡＣＫビットの第１のマッピングを選択し、前記第１のマッピングは、単一のコンポーネントキャリア上での、ダウンリンクのデータ送信に対するフォールバックコンフィギュレーションを含み、前記フォールバックコンフィギュレーションは、アップリンク制御チャネルリソースへの、ＡＣＫ／ＮＡＣＫビットの第２のマッピングにおいて、ダウンリンクのデータ送信のための単一のコンポーネントキャリアコンフィギュレーションにマッチする手段と、
前記第１のマッピングに基づいて、前記ＣＣの第１のコンフィギュレーション上での、前記ダウンリンクのデータ送信を肯定応答するためのアップリンク制御チャネルリソースを決定する手段と、
前記第１のマッピングに基づくアップリンク制御チャネルリソース上で、前記ダウンリンクのデータ送信に対するＡＣＫ／ＮＡＣＫ情報を送る手段とを具備する装置。
［４３］
前記コンポーネントキャリアの第１のコンフィギュレーションからコンポーネントキャリアの第２のコンフィギュレーションに変更するための上位レイヤコマンドを受信する手段と、
前記上位レイヤコマンドの受信の後の予め定められた期間の間、単一のコンポーネントキャリア上でのみの、ダウンリンクのデータ送信を受信する手段とをさらに具備する上記［４２］記載の装置。
［４４］
前記上位レイヤコマンドの受信の後、前記第１のマッピングの前記フォールバックコンフィギュレーションに基づいて、ダウンリンクのデータ送信を肯定応答するためのアップリンク制御チャネルリソースを決定する手段と、
前記第１のマッピングの前記フォールバックコンフィギュレーションに基づくアップリンク制御チャネルリソース上で、前記単一のコンポーネントキャリア上での、前記ダウンリンクのデータ送信に対するＡＣＫ／ＮＡＣＫ情報を送る手段とをさらに具備する上記［４３］記載の装置。
［４５］
前記コンポーネントキャリア（ＣＣ）の第２のコンフィギュレーション上での、ダウンリンクのデータ送信を肯定応答するためのＡＣＫ／ＮＡＣＫの第２のビット数を決定する手段と、
前記ＡＣＫ／ＮＡＣＫの第２のビット数に基づいて、アップリンク制御チャネルリソースへの、ＡＣＫ／ＮＡＣＫビットの第３のマッピングを選択する手段と、
前記第３のマッピングのフォールバックコンフィギュレーションに基づくアップリンク制御チャネルリソース上で、前記単一のコンポーネントキャリア上での、前記ダウンリンクのデータ送信に対するＡＣＫ／ＮＡＣＫ情報を送る手段と、
前記第３のマッピングに基づいて、前記コンポーネントキャリアの第２のコンフィギュレーション上での、前記ダウンリンクのデータ送信を肯定応答するためのアップリンク制御チャネルリソースを決定する手段と、
前記第３のマッピングに基づく前記アップリンク制御チャネルリソース上で、前記ダウンリンクのデータ送信に対するＡＣＫ／ＮＡＣＫ情報を送る手段とをさらに具備する上記［４３］記載の装置。
［４６］
前記ＣＣの第１のコンフィギュレーションにおける少なくとも１つのキャリアのアクティブ化ステータスを変更するための上位レイヤコマンドを受信する手段と、
前記上位レイヤコマンドの受信の後の予め定められた期間の間に、単一のコンポーネントキャリア上でのみの、ダウンリンクのデータ送信を受信する手段とさらに具備する上記［４２］記載の装置。
［４７］
前記上位レイヤコマンドの受信の後、前記第１のマッピングの前記フォールバックコンフィギュレーションに基づいて、ダウンリンクのデータ送信を肯定応答するためのアップリンク制御チャネルリソースを決定する手段と、
前記第１のマッピングの前記フォールバックコンフィギュレーションに基づくアップリンク制御チャネルリソース上で、前記単一のコンポーネントキャリア上での、前記ダウンリンクのデータ送信に対するＡＣＫ／ＮＡＣＫ情報を送る手段とをさらに具備する上記［４６］記載の装置。
［４８］
複数のアクティブ化されたコンポーネントキャリア上での、ダウンリンクのデータ送信を肯定応答するためのＡＣＫ／ＮＡＣＫの第２のビット数を決定する手段と、
前記ＡＣＫ／ＮＡＣＫの第２のビット数に基づいて、アップリンク制御チャネルリソースへの、ＡＣＫ／ＮＡＣＫビットの第３のマッピングを選択する手段と、
前記第３のマッピングのフォールバックコンフィギュレーションに基づくアップリンク制御チャネルリソース上で、前記単一のコンポーネントキャリア上での、前記ダウンリンクのデータ送信に対するＡＣＫ／ＮＡＣＫ情報を送る手段と、
前記第３のマッピングに基づいて、前記複数のアクティブ化されたＣＣ上での前記ダウンリンクのデータ送信を肯定応答するためのアップリンク制御チャネルリソースを決定する手段と、
前記第３のマッピングに基づく前記アップリンク制御チャネルリソース上で、前記ダウンリンクのデータ送信に対するＡＣＫ／ＮＡＣＫ情報を送る手段とをさらに具備する上記［４６］記載の装置。
［４９］
前記ＣＣの第１のコンフィギュレーションにおける少なくとも１つのキャリアの送信モードを変更するための上位レイヤコマンドを受信する手段と、
前記上位レイヤコマンドの受信の後の予め定められた期間の間、単一のコンポーネントキャリア上でのみの、ダウンリンクのデータ送信を受信する手段とをさらに具備する上記［４２］記載の装置。
［５０］
前記上位レイヤコマンドの受信の後、前記第１のマッピングの前記フォールバックコンフィギュレーションに基づいて、ダウンリンクのデータ送信を肯定応答するためのアップリンク制御チャネルリソースを決定する手段と、
前記第１のマッピングの前記フォールバックコンフィギュレーションに基づくアップリンク制御チャネルリソース上で、前記単一のコンポーネントキャリア上での、前記ダウンリンクのデータ送信に対するＡＣＫ／ＮＡＣＫ情報を送る手段とをさらに具備する上記［４９］記載の装置。
［５１］
第２の送信モードにおいて前記少なくとも１つのキャリアを含む複数の構成されているＣＣ上での、ダウンリンクのデータ送信を肯定応答するためのＡＣＫ／ＮＡＣＫの第２のビット数を決定する手段と、
前記ＡＣＫ／ＮＡＣＫの第２のビット数に基づいて、アップリンク制御チャネルリソースへの、ＡＣＫ／ＮＡＣＫビットの第３のマッピングを選択する手段と、
前記第３のマッピングのフォールバックコンフィギュレーションに基づくアップリンク制御チャネルリソース上で、前記単一のコンポーネントキャリア上での、前記ダウンリンクのデータ送信に対するＡＣＫ／ＮＡＣＫ情報を送る手段と、
前記第３のマッピングに基づいて、前記複数の構成されているＣＣ上での、前記ダウンリンクのデータ送信を肯定応答するためのアップリンク制御チャネルリソースを決定する手段と、
前記第３のマッピングに基づく前記アップリンク制御チャネルリソース上で、前記ダウンリンクのデータ送信に対するＡＣＫ／ＮＡＣＫ情報を送る手段とをさらに具備する上記［４９］記載の装置。
【図１】
0005908481.tif 000002
【図２】
0005908481.tif 000003
【図３Ａ】
0005908481.tif 000004
【図３Ｂ】
0005908481.tif 000005
【図４】
0005908481.tif 000006
【図５】
0005908481.tif 000007
【図６】
0005908481.tif 000008
【図７】
0005908481.tif 000009
【図８】
0005908481.tif 000010
【図９】
0005908481.tif 000011
【図１０】
0005908481.tif 000012